(57)【特許請求の範囲】
【請求項１】
集積ゲート駆動回路であって、電極接続型多段ゲート駆動ユニットと多段付加ゲート駆動ユニットを含み、  第ｎ段ゲート駆動ユニットは、第ｎ−２段信号入力端、第ｎ＋１段信号入力端、第ｎ+３段信号入力端、高周波タイミング信号第一入力端、低周波タイミング信号第一入力端、低周波タイミング信号第二入力端、低レベル入力端、第一出力端及び第二出力端を含み、前記第ｎ段ゲート駆動ユニットの第一出力端は表示パネルの画素区域を駆動することに用いられ、  第ｍ段付加ゲート駆動ユニットは、第ｍ−１段付加信号入力端、高周波タイミング信号第一入力端、高周波タイミング信号第二入力端、低周波タイミング信号第一入力端、低周波タイミング信号第二入力端、低レベル入力端、第一付加出力端及び第二付加出力端を含み、  前記第ｎ段ゲート駆動ユニットが第四段〜後ろから第四段ゲート駆動ユニットのうちいずれか１つのゲート駆動ユニットであるとき、前記第ｎ段ゲート駆動ユニットの第ｎ−２段信号入力端は第ｎ−２段ゲート駆動ユニットの第一出力端に電気接続され、前記第ｎ段ゲート駆動ユニットの第ｎ＋１段信号入力端は第ｎ＋１段ゲート駆動ユニットの第二出力端に電気接続され、前記第ｎ段ゲート駆動ユニットの第ｎ+３段信号入力端は第ｎ+３段ゲート駆動ユニットの第一出力端に電気接続され、前記第ｎ段ゲート駆動ユニットの第一出力端はそれぞれ、第ｎ+２段ゲート駆動ユニットの第ｎ−２段信号入力端と第ｎ−３段ゲート駆動ユニットの第ｎ+３段信号入力端とに電気接続され、前記第ｎ段ゲート駆動ユニットの第二出力端は第ｎ−１段ゲート駆動ユニットの第ｎ＋１段信号入力端に電気接続され、  前記第ｎ段ゲート駆動ユニットが第一段ゲート駆動ユニットであるとき、前記第ｎ段ゲート駆動ユニットの第ｎ−２段信号入力端にはパルス激励信号が入力され、前記第ｎ段ゲート駆動ユニットの第ｎ＋１段信号入力端は第ｎ＋１段ゲート駆動ユニットの第二出力端に電気接続され、前記第ｎ段ゲート駆動ユニットの第ｎ+３段信号入力端は第ｎ+３段ゲート駆動ユニットの第一出力端に電気接続され、前記第ｎ段ゲート駆動ユニットの第一出力端は第ｎ+２段ゲート駆動ユニットの第ｎ−２段信号入力端に電気接続され、前記第ｎ段ゲート駆動ユニットの第二出力端は不通状態になり、  前記第ｎ段ゲート駆動ユニットが第二段ゲート駆動ユニットであるとき、前記第ｎ段ゲート駆動ユニットの第ｎ−２段信号入力端にはパルス激励信号が入力され、前記第ｎ段ゲート駆動ユニットの第ｎ＋１段信号入力端は第ｎ＋１段ゲート駆動ユニットの第二出力端に電気接続され、前記第ｎ段ゲート駆動ユニットの第ｎ+３段信号入力端は第ｎ+３段ゲート駆動ユニットの第一出力端に電気接続され、前記第ｎ段ゲート駆動ユニットの第一出力端は第ｎ+２段ゲート駆動ユニットの第ｎ−２段信号入力端に電気接続され、前記第ｎ段ゲート駆動ユニットの第二出力端は第ｎ−１段ゲート駆動ユニットの第ｎ＋１段信号入力端に電気接続され、  前記第ｎ段ゲート駆動ユニットが第三段ゲート駆動ユニットであるとき、前記第ｎ段ゲート駆動ユニットの第ｎ−２段信号入力端は第ｎ−２段ゲート駆動ユニットの第一出力端に電気接続され、前記第ｎ段ゲート駆動ユニットの第ｎ＋１段信号入力端は第ｎ＋１段ゲート���動ユニットの第二出力端に電気接続され、前記第ｎ段ゲート駆動ユニットの第ｎ+３段信号入力端は第ｎ+３段ゲート駆動ユニットの第一出力端に電気接続され、前記第ｎ段ゲート駆動ユニットの第一出力端は第ｎ+２段ゲート駆動ユニットの第ｎ−２段信号入力端に電気接続され、前記第ｎ段ゲート駆動ユニットの第二出力端は第ｎ−１段ゲート駆動ユニットの第ｎ＋１段信号入力端に電気接続され、  前記第ｎ段ゲート駆動ユニットが後ろから第三段ゲート駆動ユニットであるとき、前記第ｎ段ゲート駆動ユニットの第ｎ−２段信号入力端は第ｎ−２段ゲート駆動ユニットの第一出力端に電気接続され、前記第ｎ段ゲート駆動ユニットの第ｎ＋１段信号入力端は第ｎ＋１段ゲート駆動ユニットの第二出力端に電気接続され、前記第ｎ段ゲート駆動ユニットの第ｎ+３段信号入力端は第一段付加ゲート駆動ユニットの第一付加出力端に電気接続され、前記第ｎ段ゲート駆動ユニットの第一出力端はそれぞれ、第ｎ+２段ゲート駆動ユニットの第ｎ−２段信号入力端と第ｎ−３段ゲート駆動ユニットの第ｎ+３段信号入力端とに電気接続され、前記第ｎ段ゲート駆動ユニットの第二出力端は第ｎ−１段ゲート駆動ユニットの第ｎ＋１段信号入力端に電気接続され、  前記第ｎ段ゲート駆動ユニットが後ろから第二段ゲート駆動ユニットであるとき、前記第ｎ段ゲート駆動ユニットの第ｎ−２段信号入力端は第ｎ−２段ゲート駆動ユニットの第一出力端に電気接続され、前記第ｎ段ゲート駆動ユニットの第ｎ＋１段信号入力端は第ｎ＋１段ゲート駆動ユニットの第二出力端に電気接続され、前記第ｎ段ゲート駆動ユニットの第ｎ+３段信号入力端は第二段付加ゲート駆動ユニットの第一付加出力端に電気接続され、前記第ｎ段ゲート駆動ユニットの第一出力端は第ｎ−３段ゲート駆動ユニットの第ｎ+３段信号入力端に電気接続され、前記第ｎ段ゲート駆動ユニットの第二出力端は第ｎ−１段ゲート駆動ユニットの第ｎ＋１段信号入力端に電気接続され、  前記第ｎ段ゲート駆動ユニットが後ろから第一段ゲート駆動ユニットであるとき、前記第ｎ段ゲート駆動ユニットの第ｎ−２段信号入力端は第ｎ−２段ゲート駆動ユニットの第一出力端に電気接続され、前記第ｎ段ゲート駆動ユニットの第ｎ＋１段信号入力端は第一段付加ゲート駆動ユニットの第二付加出力端に電気接続され、前記第ｎ段ゲート駆動ユニットの第ｎ+３段信号入力端は第三段付加ゲート駆動ユニットの第一付加出力端に電気接続され、前記第ｎ段ゲート駆動ユニットの第一出力端はそれぞれ、第ｎ−３段ゲート駆動ユニットの第ｎ+３段信号入力端と第一段付加ゲート駆動ユニットの第ｍ−１段付加信号入力端とに電気接続され、前記第ｎ段ゲート駆動ユニットの第二出力端は第ｎ−１段ゲート駆動ユニットの第ｎ＋１段信号入力端に電気接続され、  前記第ｍ段付加ゲート駆動ユニットが第四段〜後ろから第一段付加ゲート駆動ユニットのうちいずれか１つの付加ゲート駆動ユニットであるとき、前記第ｍ段付加ゲート駆動ユニットの第ｍ−１段付加信号入力端は第ｍ−１段付加ゲート駆動ユニットの第一付加出力端に電気接続され、前記第ｍ段付加ゲート駆動ユニットの第一付加出力端は第ｍ＋１段付加ゲート駆動ユニットの第ｍ−１段付加信号入力端に電気接続され、前記���二付加出力端は不通状態になり、  前記第ｍ段付加ゲート駆動ユニットが第一段付加ゲート駆動ユニットであるとき、前記第ｍ段付加ゲート駆動ユニットの第ｍ−１段付加信号入力端は前記後ろから第一段ゲート駆動ユニットの第一出力端に電気接続され、前記第ｍ段付加ゲート駆動ユニットの第一付加出力端はそれぞれ、前記第ｍ＋１段付加ゲート駆動ユニットの第ｍ−１段付加信号入力端と後ろから第三段ゲート駆動ユニットの第ｎ+３段信号入力端とに電気接続され、前記第二付加出力端は後ろから第一段ゲート駆動ユニットの第ｎ＋１段信号入力端に電気接続され、  前記第ｍ段付加ゲート駆動ユニットが第二段付加ゲート駆動ユニットであるとき、前記第ｍ段付加ゲート駆動ユニットの第ｍ−１段付加信号入力端は第ｍ−１段付加ゲート駆動ユニットの第一付加出力端に電気接続され、前記第ｍ段付加ゲート駆動ユニットの第一付加出力端はそれぞれ、前記第ｍ＋１段付加ゲート駆動ユニットの第ｍ−１段付加信号入力端と後ろから第二段ゲート駆動ユニットの第ｎ+３段信号入力端とに電気接続され、前記第二付加出力端は不通状態になり、  前記第ｍ段付加ゲート駆動ユニットが第三段付加ゲート駆動ユニットであるとき、前記第ｍ段付加ゲート駆動ユニットの第ｍ−１段付加信号入力端は第ｍ−１段付加ゲート駆動ユニットの第一付加出力端に電気接続され、前記第ｍ段付加ゲート駆動ユニットの第一付加出力端はそれぞれ、前記第ｍ＋１段付加ゲート駆動ユニットの第ｍ−１段付加信号入力端と後ろから第一段ゲート駆動ユニットの第ｎ+３段信号入力端とに電気接続され、前記第二付加出力端は不通状態になり、  前記集積ゲート駆動回路の第ｎ段ゲート駆動ユニットは、  第ｎ−２段信号入力端、高周波タイミング信号第一入力端、第ｎ+３段信号入力端、第一出力端及び第二出力端にそれぞれ電気接続される駆動ユニットと、  第ｎ＋１段信号入力端、低周波タイミング信号第一入力端、低周波タイミング信号第二入力端、低レベル入力端及び駆動ユニットにそれぞれ電気接続されるドロップダウンユニットとを更に含み、  前記集積ゲート駆動回路の第ｍ段付加ゲート駆動ユニットは付加駆動ユニットと付加ドロップダウンユニットとを更に含み、  付加駆動ユニットはそれぞれ、第ｍ−１段付加信号入力端、高周波タイミング信号第一入力端、低周波タイミング信号第一入力端、第一付加出力端及び第二付加出力端に電気接続され、  付加ドロップダウンユニットはそれぞれ、低周波タイミング信号第一入力端、低周波タイミング信号第二入力端、低レベル入力端及び付加駆動ユニットに電気接続される集積ゲート駆動回路。
【請求項２】
前記低レベル入力端の入力信号は低レベル信号であり、前記高周波タイミング信号第一入力端と高周波タイミング信号第二入力端の入力信号は第一高周波タイミング信号、第二高周波タイミング信号、第三高周波タイミング信号または第四高周波タイミング信号であり、前記第一高周波タイミング信号と第三高周波タイミング信号の位相は反対であり、前記第二高周波タイミング信号と第四高周波タイミング信号の位相は反対であり、前記第一高周波タイミング信号、第三高周波タイミング信号と第二高周波タイミング信号、第四高周波タイミング信号の波形は同様であるが、最初の位相は異なっており、  前記集積ゲート駆動回路の第ｎ段ゲート駆動ユニットの高周波タイミング信号第一入力端の入力信号が第一高周波タイミング信号であるとき、前記第ｎ＋１段、第ｎ＋２段、第ｎ＋３段ゲート駆動ユニットの高周波タイミング信号第一入力端の入力信号はそれぞれ、第二、第三、第四高周波タイミング信号になり、  前記集積ゲート駆動回路の第ｍ段付加ゲート駆動ユニットの高周波タイミング信号第一入力端と高周波タイミング信号第二入力端の入力信号がそれぞれ第ｋと第ｋ−１タイミング信号であるとき、前記集積ゲート駆動回路の第ｍ＋１段付加ゲート駆動ユニットの高周波タイミング信号第一入力端と高周波タイミング信号第二入力端の入力信号はそれぞれ第ｋ＋１と第ｋタイミング信号になり、前記ｋの値は１〜４であり、かつｋが１であるとき、ｋ−１は４であり、ｋが４であるとき、ｋ＋１は１であり、  前記低周波タイミング信号第一入力端と低周波タイミング信号第二入力端の入力信号は第一低周波タイミング信号であるか或いは第二低周波タイミング信号であり、前記第一低周波タイミング信号と第二低周波タイミング信号の電圧は相補性を有しており、  前記集積ゲート駆動回路の第ｎ段ゲート駆動ユニットの低周波タイミング信号第一入力端と低周波タイミング信号第二入力端の入力信号がそれぞれ第一低周波タイミング信号と第二低周波タイミング信号であるとき、前記第ｎ＋１段ゲート駆動ユニットの低周波タイミング信号第一入力端と低周波タイミング信号第二入力端の入力信号はそれぞれ第二低周波タイミング信号と第一低周波タイミング信号になり、  前記集積ゲート駆動回路の第ｍ段付加ゲート駆動ユニットの低周波タイミング信号第一入力端と低周波タイミング信号第二入力端の入力信号がそれぞれ第一低周波タイミング信号と第二低周波タイミング信号であるとき、前記第ｍ＋１段付加ゲート駆動ユニットの低周波タイミング信号第一入力端と低周波タイミング信号第二入力端の入力信号はそれぞれ第二低周波タイミング信号と第一低周波タイミング信号になる請求項１に記載の集積ゲート駆動回路。
【請求項３】
前記駆動ユニットは、コンデンサー、第一薄膜トランジスタ、第二薄膜トランジスタ及び第三薄膜トランジスタを含み、前記第一薄膜トランジスタは、第一ゲート、第一ソース及び第一ドレインを含み、前記第二薄膜トランジスタは、第二ゲート、第二ソース及び第二ドレインを含み、前記第三薄膜トランジスタは、第三ゲート、第三ソース及び第三ドレインを含み、前記第一ゲートと第一ドレインは前記第ｎ−２段信号入力端に電気接続され、前記第一ソースはそれぞれ、コンデンサーの一端、第二ゲート、第三ドレイン、第二出力端及びドロップダウンユニットに電気接続され、前記第二ドレインは高周波タイミング信号第一入力端に電気接続され、前記第二ソースは、コンデンサーの他端、第一出力端及びドロップダウンユニットに電気接続され、前記第三ゲートは前記第ｎ+３段信号入力端に電気接続され、前記第三ソースは低レベル入力端に電気接続され、
前記付加駆動ユニットは、付加コンデンサー、第二十一薄膜トランジスタ、第二十二薄膜トランジスタ及び第二十三薄膜トランジスタを含み、前記第二十一薄膜トランジスタは、第二十一ゲート、第二十一ソース及び第二十一ドレインを含み、前記第二十二薄膜トランジスタは、第二十二ゲート、第二十二ソース及び第二十二ドレインを含み、前記第二十三薄膜トランジスタは、第二十三ゲート、第二十三ソース及び第二十三ドレインを含み、前記第二十一ゲート、第二十一ドレイン及び第二十二ドレインはいずれも、前記第ｍ−１段付加信号入力端に電気接続され、前記第二十一ソースはそれぞれ、付加コンデンサーの一端、第二十三ゲート、第二十二ソース、第二付加出力端及び付加ドロップダウンユニットに電気接続され、前記第二十二ゲートは高周波タイミング信号第二入力端に電気接続され、前記第二十三ドレインは高周波タイミング信号第一入力端に電気接続され、前記第二十三ソースは、付加コンデンサーの他端、第一付加出力端及び付加ドロップダウンユニットに電気接続される請求項１に記載の集積ゲート駆動回路。
【請求項４】
前記ドロップダウンユニットは、第一ドロップダウンユニット、第一ドロップダウン信号生成ユニット、第二ドロップダウンユニット及び第二ドロップダウン信号生成ユニットを含み、前記第一ドロップダウンユニットはそれぞれ、駆動ユニット、第一ドロップダウン信号生成ユニット、第二ドロップダウンユニット及び低レベル入力端に電気接続され、第一ドロップダウン信号生成ユニットはそれぞれ、第一ドロップダウンユニット、低周波タイミング信号第一入力端、低周波タイミング信号第二入力端及び低レベル入力端に電気接続され、前記第二ドロップダウンユニットはそれぞれ、駆動ユニット、第二ドロップダウン信号生成ユニット、第一ドロップダウンユニット及び低レベル入力端に電気接続され、前記第二ドロップダウン信号生成ユニットはそれぞれ、第二ドロップダウンユニット、低周波タイミング信号第一入力端、低周波タイミング信号第二入力端及び低レベル入力端に電気接続され、  前記第一ドロップダウンユニットは第四薄膜トランジスタと第五薄膜トランジスタを含み、前記第四薄膜トランジスタは、第四ゲート、第四ソース及び第四ドレインを含み、前記第五薄膜トランジスタは、第五ゲート、第五ソース及び第五ドレインを含み、前記第四ゲートと第五ゲートはいずれも、前記第一ドロップダウン信号生成ユニットに電気接続され、前記第四ドレインはそれぞれ、第一ソース、コンデンサーの一端、第二ゲート、第三ドレイン、第二出力端、第二ドロップダウン信号生成ユニット及び第二ドロップダウンユニットに電気接続され、前記第四ソースと第五ソースはいずれも、前記低レベル入力端に電気接続され、前記第五ドレインはそれぞれ、第二ソース、コンデンサーの他端、第一出力端及び第二ドロップダウンユニットに電気接続され、  前記第二ドロップダウンユニットは第六薄膜トランジスタと第七薄膜トランジスタを含み、前記第六薄膜トランジスタは、第六ゲート、第六ソース及び第六ドレインを含み、前記第七薄膜トランジスタは、第七ゲート、第七ソース及び第七ドレインを含み、前記第六ゲートと前記第七ゲートはいずれも、前記第二ドロップダウン信号生成ユニットに電気接続され、前記第六ソースと前記第七ソースはいずれも、低レベル入力端に電気接続され、前記第六ドレインはそれぞれ、第一ソース、コンデンサーの一端、第二ゲート、第三ドレイン、第四ドレイン、第二出力端及び第二ドロップダウン信号生成ユニットに電気接続され、前記第七ソースはそれぞれ、第二ソース、コンデンサーの他端、第一出力端及び第五ドレインに電気接続され、  前記第一ドロップダウン信号生成ユニットは、第八薄膜トランジスタ、第九薄膜トランジスタ、第十薄膜トランジスタ、第十一薄膜トランジスタ及び第十二薄膜トランジスタを含み、前記第八薄膜トランジスタは、第八ゲート、第八ソース及び第八ドレインを含み、前記第九薄膜トランジスタは、第九ゲート、第九ソース及び第九ドレインを含み、前記第十薄膜トランジスタは、第十ゲート、第十ソース及び第十ドレインを含み、前記第十一薄膜トランジスタは、第十一ゲート、第十一ソース及び第十一ドレインを含み、前記第十二薄膜トランジスタは、第十二ゲート、第十二ソース及び第十二ドレインを含み、前記第八ゲート、第八ドレイン、第九ドレイン、第十ゲートはいずれも、低周波タイミング信号第二入力端に電気接続され、前記第八ソースはそれぞれ、前記第九ソース、第十ドレイン、第四ゲート及び第五ゲートに電気接続され、前記第十ソースはそれぞれ、第十一ドレインと第十二ドレインに電気接続され、前記第十一ゲートはそれぞれ、前記第一ソース、コンデンサーの一端、第二ゲート、第三ドレイン、第四ドレイン、第六ドレイン及び第二出力端に電気接続され、前記第十一ソースと第十二ソースはいずれも、前記低レベル入力端に電気接続され、前記第十二ゲートは前記第ｎ＋１段信号入力端に電気接続され、  前記第二ドロップダウン信号生成ユニットは、第十四薄膜トランジスタ、第十五薄膜トランジスタ、第十六薄膜トランジスタ、第十七薄膜トランジスタ及び第十八薄膜トランジスタを含み、前記第十四薄膜トランジスタは、第十四ゲート、第十四ソース及び第十四ドレインを含み、前記第十五薄膜トランジスタは、第十五ゲート、第十五ソース及び第十五ドレインを含み、前記第十六薄膜トランジスタは、第十六ゲート、第十六ソース及び第十六ドレインを含み、前記第十七薄膜トランジスタは、第十七ゲート、第十七ソース及び第十七ドレインを含み、前記第十八薄膜トランジスタは、第十八ゲート、第十八ソース及び第十八ドレインを含み、前記第十四ゲート、第十四ドレイン、第十五ドレイン及び第十六ゲートはいずれも、低周波タイミング信号第一入力端に電気接続され、前記第十四ソースはそれぞれ、前記第十五ソース、第十六ドレイン、第六ゲート及び第七ゲートに電気接続され、前記第六ソースはそれぞれ前記第十七ドレインと第十八ドレインに電気接続され、前記第十七ゲートはそれぞれ、前記第十一ゲート、前記第一ソース、コンデンサーの一端、第二ゲート、第三ドレイン、第四ドレイン、第六ドレイン及び第二出力端に電気接続され、前記第十七ソース、第十八ソースはいずれも、前記低レベル入力端に電気接続され、前記第十八ゲートは前記第ｎ＋１段信号入力端に電気接続される請求項３に記載の集積ゲート駆動回路。
【請求項５】
前記第九ゲートは前記低周波タイミング信号第一入力端に電気接続され、前記第十五ゲートは前記低周波タイミング信号第二入力端に電気接続される請求項４に記載の集積ゲート駆動回路。
【請求項６】
前記第九ゲートはそれぞれ、前記第八ソース、前記第九ソース、第十ドレイン、第四ゲート及び第五ゲートに電気接続され、前記第十五ゲートはそれぞれ、前記第十四ソース、前記第十五ソース、第十六ドレイン、第六ゲート及び第七ゲートに電気接続される請求項４に記載の集積ゲート駆動回路。
【請求項７】
前記第一ドロップダウン信号生成ユニットは第十三薄膜トランジスタを更に含み、前記第十三薄膜トランジスタは、第十三ゲート、第十三ソース及び第十三ドレインを含み、前記第十三ゲートはそれぞれ、第一ゲート、第一ドレイン及び前記第ｎ−２段信号入力端に電気接続され、前記第十三ドレインはそれぞれ、前記第十ソース、前記第十一ドレイン及び第十二ドレインに電気接続され、前記第十三ソースは低レベル入力端２７に電気接続され、
前記第二ドロップダウン信号生成ユニットは第十九薄膜トランジスタを更に含み、前記第十九薄膜トランジスタは、第十九ゲート、第十九ソース及び第十九ドレインを含み、前記第十九ゲートはそれぞれ、前記第十三ゲート、第一ゲート、第一ドレイン及び前記第ｎ−２段信号入力端に電気接続され、前記第十九ドレインはそれぞれ、前記第十六ソース、前記第十七ドレイン及び第十八ドレインに電気接続され、前記第十九ソースは低レベル入力端に電気接続される請求項５に記載の集積ゲート駆動回路。
【請求項８】
前記第ｎ段ゲート駆動ユニットは第ｎ−１段信号入力端と第三出力端を更に含み、前記第ｎ段ゲート駆動ユニットが第二段〜後ろから第一段ゲート駆動ユニットのうちいずれか１つのゲート駆動ユニットであるとき、前記第ｎ段ゲート駆動ユニットの第ｎ−１段信号入力端は第ｎ−１段ゲート駆動ユニットの第三出力端に電気接続され、前記第ｎ段ゲート駆動ユニットが第一段ゲート駆動ユニットであるとき、前記第ｎ段ゲート駆動ユニットは第ｎ−１段信号入力端を含んでおらず、前記第ｎ段ゲート駆動ユニットが第一段〜後ろから第二段ゲート駆動ユニットのうちいずれか１つのゲート駆動ユニットであるとき、前記第ｎ段ゲート駆動ユニットの第三出力端は前記第ｎ＋１段ゲート駆動ユニットの第ｎ−１段信号入力端に電気接続され、前記第ｎ段ゲート駆動ユニットが後ろから第一段ゲート駆動ユニットであるとき、前記第ｎ段ゲート駆動ユニットの第三出力端は不通状態になり、
前記ドロップダウンユニットは、第一ドロップダウンユニット、第二ドロップダウンユニット及び第二ドロップダウン信号生成ユニットを含み、前記第一ドロップダウンユニットはそれぞれ、駆動ユニット、第ｎ−１段信号入力端と低レベル入力端に電気接続され、前記第二ドロップダウンユニットはそれぞれ、駆動ユニット、第二ドロップダウン信号生成ユニット、第一ドロップダウンユニット及び低レベル入力端に電気接続され、前記第二ドロップダウン信号生成ユニットはそれぞれ、駆動ユニット、第二ドロップダウンユニット、低周波タイミング信号第一入力端、低周波タイミング信号第二入力端及び低レベル入力端に電気接続され、
前記第一ドロップダウンユニットは第四薄膜トランジスタと第五薄膜トランジスタを含み、前記第四薄膜トランジスタは、第四ゲート、第四ソース及び第四ドレインを含み、前記第五薄膜トランジスタは、第五ゲート、第五ソース及び第五ドレインを含み、前記第四ゲートと第五ゲートはいずれも前記第ｎ−１段信号入力端に電気接続され、前記第四ドレインはそれぞれ、第一ソース、コンデンサーの一端、第二ゲート、第三ドレイン、第二出力端、第二ドロップダウン信号生成ユニット及び第二ドロップダウンユニットに電気接続され、前記第四ソースと第五ソースはいずれも低レベル入力端に電気接続され、前記第五ドレインはそれぞれ、第二ソース、コンデンサーの他端、第一出力端及び第二ドロップダウンユニットに電気接続され、
前記第二ドロップダウンユニットは第六薄膜トランジスタと第七薄膜トランジスタを含み、前記第六薄膜トランジスタは、第六ゲート、第六ソース及び第六ドレインを含み、前記第七薄膜トランジスタは、第七ゲート、第七ソース及び第七ドレインを含み、前記第六ゲートは、前記第二ドロップダウン信号生成ユニット、第七ゲート及び第三出力端に電気接続され、前記第六ドレインはそれぞれ、第一ソース、コンデンサーの一端、第二ゲート、第三ドレイン、第四ドレイン、第二出力端及び第二ドロップダウン信号生成ユニットに電気接続され、前記第六ソースと第七ソースはいずれも低レベル入力端に電気接続され、前記第七ドレインはそれぞれ、第二ソース、コンデンサーの他端、第一出力端及び第五ドレインに電気接続され、
前記第二ドロップダウン信号生成ユニットは、第十四薄膜トランジスタ、第十五薄膜トランジスタ、第十六薄膜トランジスタ、第十七薄膜トランジスタ及び第十八薄膜トランジスタを含み、前記第十四薄膜トランジスタは、第十四ゲート、第十四ソース及び第十四ドレインを含み、前記第十五薄膜トランジスタは、第十五ゲート、第十五ソース及び第十五ドレインを含み、前記第十六薄膜トランジスタは、第十六ゲート、第十六ソース及び第十六ドレインを含み、前記第十七薄膜トランジスタは、第十七ゲート、第十七ソース及び第十七ドレインを含み、前記第十八薄膜トランジスタは、第十八ゲート、第十八ソース及び第十八ドレインを含み、前記十四ゲート、第十四ドレイン、第十五ドレイン及び第十六ゲートはいずれも、低周波タイミング信号第一入力端に電気接続され、前記第十四ソースはそれぞれ、前記第十五ソース、第十六ドレイン、第六ゲート、第七ゲート及び第三出力端に電気接続され、前記第十六ソースはそれぞれ、前記第十七ドレインと第十八ドレインに電気接続され、前記第十七ゲートはそれぞれ、前記第一ソース、コンデンサーの一端、第二ゲート、第三ドレイン、第四ドレイン及び第六ドレインに電気接続され、前記第十七ソースと第十八ソースは低レベル入力端に電気接続され、前記第十八ゲートは前記第ｎ＋１段信号入力端に電気接続される請求項３に記載の集積ゲート駆動回路。
【請求項９】
前記第十五ゲートは前記低周波タイミング信号第二入力端に電気接続される請求項８に記載の集積ゲート駆動回路。
【請求項１０】
前記第十五ゲートはそれぞれ、前記第十四ソース、第十五ソース、第十六ドレイン、第六ゲート、第七ゲート及び第三出力端に電気接続される請求項８に記載の集積ゲート駆動回路。
【請求項１１】
前記第二ドロップダウン信号生成ユニットは第十九薄膜トランジスタを更に含み、該第十九薄膜トランジスタは、第十九ゲート、第十九ソース及び第十九ドレインを含み、前記第十九ゲートはそれぞれ、前記第一ゲート、第一ドレイン及び前記第ｎ−２段信号入力端に電気接続され、前記第十九ドレインはそれぞれ、前記第十六ソース、前記第十七ドレイン及び第十八ドレインに電気接続され、前記第十九ソースは低レベル入力端に電気接続される請求項９に記載の集積ゲート駆動回路。
【請求項１２】
前記付加ドロップダウンユニットは、第一付加ドロップダウンユニット、第一付加ドロップダウン信号生成ユニット、第二付加ドロップダウンユニット及び第二付加ドロップダウン信号生成ユニットを含み、前記第一付加ドロップダウンユニットはそれぞれ、付加駆動ユニット、第一付加ドロップダウン信号生成ユニット、第二付加ドロップダウンユニット及び低レベル入力端に電気接続され、第一付加ドロップダウン信号生成ユニットはそれぞれ、第一付加ドロップダウンユニット、低周波タイミング信号第一入力端、低周波タイミング信号第二入力端及び低レベル入力端に電気接続され、前記第二付加ドロップダウンユニットはそれぞれ、付加駆動ユニット、第二付加ドロップダウン信号生成ユニット、第一付加ドロップダウンユニット及び低レベル入力端に電気接続され、前記第二付加ドロップダウン信号生成ユニットはそれぞれ、第二付加ドロップダウンユニット、低周波タイミング信号第一入力端、低周波タイミング信号第二入力端及び低レベル入力端に電気接続される請求項３に記載の集積ゲート駆動回路。
【請求項１３】
前記第一付加ドロップダウンユニットは第二十四薄膜トランジスタと第二十五薄膜トランジスタを含み、前記第二十四薄膜トランジスタは、第二十四ゲート、第二十四ソース及び第二十四ドレインを含み、前記第二十五薄膜トランジスタは、第二十五ゲート、第二十五ソース及び第二十五ドレインを含み、前記第二十四ゲートは前記第一付加ドロップダウン信号生成ユニット及び第二十五ゲートに電気接続され、前記第二十四ドレインはそれぞれ、第二十一ソース、第二十二ソース、付加コンデンサーの一端、第二十三ゲート、第二付加出力端、第二付加ドロップダウン信号生成ユニット及び第二付加ドロップダウンユニットに電気接続され、前記第二十五ドレインは、付加コンデンサーの他端、第一付加出力端及び第二付加ドロップダウンユニットに電気接続され、前記第二十五ソースは低レベル入力端に電気接続され、
前記第二付加ドロップダウンユニットは第二十六薄膜トランジスタと第二十七薄膜トランジスタを含み、前記第二十六薄膜トランジスタは、第二十六ゲート、第二十六ソース及び第二十六ドレインを含み、前記第二十七薄膜トランジスタは、第二十七ゲート、第二十七ソース及び第二十七ドレインを含み、前記第二十六ゲートは前記第二付加ドロップダウン信号生成ユニットと第二十七ゲートに電気接続され、前記第二十六ソースは低レベル入力端に電気接続され、前記第二十六ドレインはそれぞれ、第二十四ソース、第二十一ソース、第二十二ソース、付加コンデンサーの一端、第二十三ゲート、第二付加出力端及び第二付加ドロップダウン信号生成ユニットに電気接続され、前記第二十七ドレインはそれぞれ、付加コンデンサーの他端、第一付加出力端、第二十五ドレイン及び第二十三ソースに電気接続され、前記第二十七ソースは低レベル入力端に電気接続される請求項１２に記載の集積ゲート駆動回路。
【請求項１４】
前記第二十四ソースは低レベル入力端に電気接続され、前記第二十六ソースは低レベル入力端に電気接続される請求項１３に記載の集積ゲート駆動回路。
【請求項１５】
前記第二十四ソースはそれぞれ、前記第二十五ドレイン、付加コンデンサーの他端、第一付加出力端及び第二付加ドロップダウンユニットに電気接続され、前記第二十六ソースはそれぞれ、前記第二十七ドレイン、付加コンデンサーの他端、第一付加出力端、第二十五ドレイン及び第二十三ソースに電気接続される請求項１３に記載の集積ゲート駆動回路。
【請求項１６】
前記第一付加ドロップダウン信号生成ユニットは、第二十八薄膜トランジスタ、第二十九薄膜トランジスタ、第三十薄膜トランジスタ及び第三十一薄膜トランジスタを含み、前記第二十八薄膜トランジスタは、第二十八ゲート、第二十八ソース及び第二十八ドレインを含み、前記第二十九薄膜トランジスタは、第二十九ゲート、第二十九ソース及び第二十九ドレインを含み、前記第三十薄膜トランジスタは、第三十ゲート、第三十ソース及び第三十ドレインを含み、前記第三十一薄膜トランジスタは、第三十一ゲート、第三十一ソース及び第三十一ドレインを含み、前記第二十八ゲート、第二十八ドレイン、第二十九ドレイン及び第三十ゲートはいずれも、前記低周波タイミング信号第二入力端に電気接続され、前記第二十八ソースはそれぞれ、前記第二十九ソース、第三十ドレイン、第二十四ゲート及び第二十五ゲートに電気接続され、前記第三十ソースは前記第三十一ドレインに電気接続され、前記第三十一ゲートはそれぞれ、第二十一ソース、第二十二ソース、付加コンデンサーの一端、第二十三ゲート、第二付加出力端、第二十六ドレイン及び第二十四ドレインに電気接続され、前記第三十一ソースは低レベル入力端に電気接続され、
前記第二付加ドロップダウン信号生成ユニットは、第三十二薄膜トランジスタ、第三十三薄膜トランジスタ、第三十四薄膜トランジスタ及び第三十五薄膜トランジスタを含み、前記第三十二薄膜トランジスタは、第三十二ゲート、第三十二ソース及び第三十二ドレインを含み、前記第三十三薄膜トランジスタは、第三十三ゲート、第三十三ソース及び第三十三ドレインを含み、前記第三十四薄膜トランジスタは、第三十四ゲート、第三十四ソース及び第三十四ドレインを含み、前記第三十五薄膜トランジスタは、第三十五ゲート、第三十五ソース及び第三十五ドレインを含み、前記第三十二ゲート、第三十二ドレイン、第三十三ソースドレイン及び第三十四ゲートはいずれも、前記低周波タイミング信号第一入力端に電気接続され、前記第三十二ソースはそれぞれ、前記第三十三ソース、第三十四ドレイン、第二十六ゲート及び第二十七ゲートに電気接続され、前記第三十四ソースは前記第三十五ドレインに電気接続され、前記三十五ゲートはそれぞれ、第三十一ゲート、第二十一ソース、第二十二ソース、付加コンデンサーの一端、第二十三ゲート、第二付加出力端、第二十六ドレイン及び第二十四ドレインに電気接続され、前記三十五ソースは低レベル入力端に電気接続される請求項１３に記載の集積ゲート駆動回路。
【請求項１７】
前記第二十九ゲートは前記低周波タイミング信号第一入力端に電気接続され、前記第三十三ゲートは前記低周波タイミング信号第二入力端に電気接続される請求項１６に記載の集積ゲート駆動回路。
【請求項１８】
前記第二十九ゲートはそれぞれ、前記第二十八ソース、前記第二十九ソース、第三十ドレイン、第二十四ゲート、第二十五ゲートに電気接続され、前記第三十三ゲートはそれぞれ、前記第三十二ソース、第三十三ソース、前記第三十四ドレイン、第二十六ゲート、第二十七ゲートに電気接続される請求項１６に記載の集積ゲート駆動回路。
【請求項１９】
集積ゲート駆動回路を具備する表示パネルであって、データ駆動回路と表示パネル本体を含み、前記表示パネル本体は請求項１に記載の集積ゲート駆動回路と表示パネル画素区域を含み、前記表示パネル画素区域は配列されている複数個の画素ユニットを含む集積ゲート駆動回路を具備する表示パネル。
【発明の詳細な説明】
【技術分野】
【０００１】
本発明は、表示技術に関し、特に集積ゲート駆動回路（Gate  Driver  on  Array、ＧＯＡ）及び該集積ゲート駆動回路を具備する表示パネルに関するものである。
【背景技術】
【０００２】
液晶表示装置は、厚さが薄く、省エネ性がよく、輻射が少ないという利点等を有していることにより、幅広く応用されている。従来の液晶表示装置は、殆どが投射式液晶表示装置であり、液晶表示パネルとバックライトモジュール（backlight  module）を含む。液晶表示装置の作動原理は次のとおりである。二枚の平行のガラス基板の間には液晶分子が注入され、二枚のガラス基板に駆動電圧を印加することにより、液晶分子の回転方向を制御し、バックライトモジュールの光線を制御することにより、画面を形成する。
【０００３】
技術の発展に伴って液晶表示装置は高度集積性、低コスト化へ発展しており、集積表示駆動回路は平板表示技術分野の研究課題になっている。集積表示駆動回路とは、ゲート駆動回路とデータ駆動回路などの外部回路が薄膜トランジスタ（ＴＦＴ）を採用することにより、画素薄膜トランジスタがＴＦＴ基板上に形成される構造を意味する。従来の回路（ＩＣ）駆動方法と比較してみると、集積ゲート駆動方法は、外部駆動チップの数量と実装ステップを減少させ、コストを低減することができる。また、表示装置の見た目を細くし、表示装置の構造を簡素化し、機械と電子的安定性を増強させることができる。現在、アモルファスシリコン薄膜トランジスタによる集積ゲート駆動方法が幅広く応用されている。これは、アモルファスシリコンＴＦＴ技術が行程中の温度が低く、部品の均一性がよく、コストが低い利点などを有しているからである。現在、この技術は主流のＴＦＴ技術になっている。アモルファスシリコンＴＦＴの移動率はゲート駆動回路の作動周波数の要求を満たすことができる。しかしながら、アモルファスシリコンＴＦＴの安定性がよくないことにより、電圧バイアスの環境で長く用いるとき、激しい閾値電圧の変化が発生し、回路の寿命に大きい影響を与えるおそれがある。
【０００４】
集積ゲート駆動回路において、回路の出力信号を低レベルに維持するため、１つのドロップダウン回路を用いる必要がある。前記ドロップダウン回路中のドロップダウン型薄膜トランジスタは、電圧圧力を常時受けていることにより、集積ゲート駆動回路の寿命に影響を与える重要な部品になっている。従来の集積ゲート駆動回路において、通常、低電圧電球バイアス、２つのドロップダウン構造、高周波パルスバイアスを採用するか或いは電圧信号のデューティ比を低減する方法などにより、ドロップダウン型薄膜トランジスタの閾値電圧の変化を低減する。上述した方法により、集積ゲート駆動回路の寿命をある程度延長させる目的を奏することができる。しかしながら、ドロップダウン型薄膜トランジスタが単極性（電圧が正電圧である）のバイアス下において、通常、正極性の直流電圧圧力またはパルス電圧圧力を長く受けているので、長く作動した後、ドロップダウン型薄膜トランジスタは、依然として、閾値電圧の変化が大きく、導電能力が退化する欠点を有している。したがって、集積ゲート駆動回路の作動寿命に影響を与える。大中サイズ表示パネルにおいて、集積ゲート駆動回路が長く作動しなければならないので、該回路の寿命を考慮しなければならない。したがって、回路中の薄膜トランジスタの閾値電圧の変化を有効に抑制し、集積ゲート駆動回路の寿命を延ばすことにより、大中サイズ表示パネルの要求を満たすことは、テレビパネルのＧＯＡに対する重要な課題になっている。
【発明の概要】
【発明が解決しようとする課題】
【０００５】
本発明の目的は集積ゲート駆動回路を提供することにある。その回路が一対のドロップダウン構造を採用することにより、回路のドロップダウンユニットと付加ドロップダウンユニット中の薄膜トランジスタは二極性電圧バイアスの作動環境で作動することができ、ドロップダウンユニットと付加ドロップダウンユニット中の薄膜トランジスタの閾値電圧の変化を有効に抑制し、回路の作動寿命を延長することができる。これにより、回路は大中サイズ表示パネルの要求を満たすことができる。また、回路の構造が簡単であり、電気消耗が少なく、低温及び高温の作動環境に適用することができる。
【０００６】
本発明の他の目的は、集積ゲート駆動回路を具備する表示パネルことにある。該パネルは、外部駆動チップの数量と実装ステップを減少させ、コストを低減することができる。また、表示装置の見た目を細くし、表示装置の構造を簡素化し、機械と電子的安定性を増強させることができる。
【課題を解決するための手段】
【０００７】
前記問題を解決するため、本発明は集積ゲート駆動回路を提供する。該集積ゲート駆動回路は電極接続型多段ゲート駆動ユニットと多段付加ゲート駆動ユニットを含み、
前記第ｎ段ゲート駆動ユニットは、第ｎ−２段信号入力端、第ｎ＋１段信号入力端、第ｎ+３段信号入力端、高周波タイミング信号第一入力端、低周波タイミング信号第一入力端、低周波タイミング信号第二入力端、低レベル入力端、第一出力端及び第二出力端を含み、前記第ｎ段ゲート駆動ユニットの第一出力端は表示パネルの画素区域を駆動することに用いられ、
前記第ｍ段付加ゲート駆動ユニットは、第ｍ−１段付加信号入力端、高周波タイミング信号第一入力端、高周波タイミング信号第二入力端、低周波タイミング信号第一入力端、低周波タイミング信号第二入力端、低レベル入力端、第一付加出力端及び第二付加出力端を含み、
前記第ｎ段ゲート駆動ユニットが第四段〜後ろから第四段ゲート駆動ユニットのうちいずれか１つのゲート駆動ユニットであるとき、前記第ｎ段ゲート駆動ユニットの第ｎ−２段信号入力端は第ｎ−２段ゲート駆動ユニットの第一出力端に電気接続され、前記第ｎ段ゲート駆動ユニットの第ｎ＋１段信号入力端は第ｎ＋１段ゲート駆動ユニットの第二出力端に電気接続され、前記第ｎ段ゲート駆動ユニットの第ｎ+３段信号入力端は第ｎ+３段ゲート駆動ユニットの第一出力端に電気接続され、前記第ｎ段ゲート駆動ユニットの第一出力端はそれぞれ、第ｎ+２段ゲート駆動ユニットの第ｎ−２段信号入力端と第ｎ−３段ゲート駆動ユニットの第ｎ+３段信号入力端とに電気接続され、前記第ｎ段ゲート駆動ユニットの第二出力端は第ｎ−１段ゲート駆動ユニットの第ｎ＋１段信号入力端に電気接続され、
前記第ｎ段ゲート駆動ユニットが第一段ゲート駆動ユニットであるとき、前記第ｎ段ゲート駆動ユニットの第ｎ−２段信号入力端にはパルス激励信号が入力され、前記第ｎ段ゲート駆動ユニットの第ｎ＋１段信号入力端は第ｎ＋１段ゲート駆動ユニットの第二出力端に電気接続され、前記第ｎ段ゲート駆動ユニットの第ｎ+３段信号入力端は第ｎ+３段ゲート駆動ユニットの第一出力端に電気接続され、前記第ｎ段ゲート駆動ユニットの第一出力端は第ｎ+２段ゲート駆動ユニットの第ｎ−２段信号入力端に電気接続され、前記第ｎ段ゲート駆動ユニットの第二出力端は不通状態になり、
前記第ｎ段ゲート駆動ユニットが第二段ゲート駆動ユニットであるとき、前記第ｎ段ゲート駆動ユニットの第ｎ−２段信号入力端にはパルス激励信号が入力され、前記第ｎ段ゲート駆動ユニットの第ｎ＋１段信号入力端は第ｎ＋１段ゲート駆動ユニットの第二出力端に電気接続され、前記第ｎ段ゲート駆動ユニットの第ｎ+３段信号入力端は第ｎ+３段ゲート駆動ユニットの第一出力端に電気接続され、前記第ｎ段ゲート駆動ユニットの第一出力端は第ｎ+２段ゲート駆動ユニットの第ｎ−２段信号入力端に電気接続され、前記第ｎ段ゲート駆動ユニットの第二出力端は第ｎ−１段ゲート駆動ユニットの第ｎ＋１段信号入力端に電気接続され、
前記第ｎ段ゲート駆動ユニットが第三段ゲート駆動ユニットであるとき、前記第ｎ段ゲート駆動ユニットの第ｎ−２段信号入力端は第ｎ−２段ゲート駆動ユニットの第一出力端に電気接続され、前記第ｎ段ゲート駆動ユニットの第ｎ＋１段信号入力端は第ｎ＋１段ゲート駆動ユニットの第二出力端に電気接続され、前記第ｎ段ゲート駆動ユニットの第ｎ+３段信号入力端は第ｎ+３段ゲート駆動ユニットの第一出力端に電気接続され、前記第ｎ段ゲート駆動ユニットの第一出力端は第ｎ+２段ゲート駆動ユニットの第ｎ−２段信号入力端に電気接続され、前記第ｎ段ゲート駆動ユニットの第二出力端は第ｎ−１段ゲート駆動ユニットの第ｎ＋１段信号入力端に電気接続され、
前記第ｎ段ゲート駆動ユニットが後ろから第三段ゲート駆動ユニットであるとき、前記第ｎ段ゲート駆動ユニットの第ｎ−２段信号入力端は第ｎ−２段ゲート駆動ユニットの第一出力端に電気接続され、前記第ｎ段ゲート駆動ユニットの第ｎ＋１段信号入力端は第ｎ＋１段ゲート駆動ユニットの第二出力端に電気接続され、前記第ｎ段ゲート駆動ユニットの第ｎ+３段信号入力端は第一段付加ゲート駆動ユニットの第一付加出力端に電気接続され、前記第ｎ段ゲート駆動ユニットの第一出力端はそれぞれ、第ｎ+２段ゲート駆動ユニットの第ｎ−２段信号入力端と第ｎ−３段ゲート駆動ユニットの第ｎ+３段信号入力端とに電気接続され、前記第ｎ段ゲート駆動ユニットの第二出力端は第ｎ−１段ゲート駆動ユニットの第ｎ＋１段信号入力端に電気接続され、
前記第ｎ段ゲート駆動ユニットが後ろから第二段ゲート駆動ユニットであるとき、前記第ｎ段ゲート駆動ユニットの第ｎ−２段信号入力端は第ｎ−２段ゲート駆動ユニットの第一出力端に電気接続され、前記第ｎ段ゲート駆動ユニットの第ｎ＋１段信号入力端は第ｎ＋１段ゲート駆動ユニットの第二出力端に電気接続され、前記第ｎ段ゲート駆動ユニットの第ｎ+３段信号入力端は第二段付加ゲート駆動ユニットの第一付加出力端に電気接続され、前記第ｎ段ゲート駆動ユニットの第一出力端は第ｎ−３段ゲート駆動ユニットの第ｎ+３段信号入力端に電気接続され、前記第ｎ段ゲート駆動ユニットの第二出力端は第ｎ−１段ゲート駆動ユニットの第ｎ＋１段信号入力端に電気接続され、
前記第ｎ段ゲート駆動ユニットが後ろから第一段ゲート駆動ユニットであるとき、前記第ｎ段ゲート駆動ユニットの第ｎ−２段信号入力端は第ｎ−２段ゲート駆動ユニットの第一出力端に電気接続され、前記第ｎ段ゲート駆動ユニットの第ｎ＋１段信号入力端は第一段付加ゲート駆動ユニットの第二付加出力端に電気接続され、前記第ｎ段ゲート駆動ユニットの第ｎ+３段信号入力端は第三段付加ゲート駆動ユニットの第一付加出力端に電気接続され、前記第ｎ段ゲート駆動ユニットの第一出力端はそれぞれ、第ｎ−３段ゲート駆動ユニットの第ｎ+３段信号入力端と第一段付加ゲート駆動ユニットの第ｍ−１段付加信号入力端とに電気接続され、前記第ｎ段ゲート駆動ユニットの第二出力端は第ｎ−１段ゲート駆動ユニットの第ｎ＋１段信号入力端に電気接続され、
前記第ｍ段付加ゲート駆動ユニットが第四段〜後ろから第一段付加ゲート駆動ユニットのうちいずれか１つの付加ゲート駆動ユニットであるとき、前記第ｍ段付加ゲート駆動ユニットの第ｍ−１段付加信号入力端は第ｍ−１段付加ゲート駆動ユニットの第一付加出力端に電気接続され、前記第ｍ段付加ゲート駆動ユニットの第一付加出力端は前記第ｍ＋１段付加ゲート駆動ユニットの第ｍ−１段付加信号入力端に電気接続され、前記第二付加出力端は不通状態になり、
前記第ｍ段付加ゲート駆動ユニットが第一段付加ゲート駆動ユニットであるとき、前記第ｍ段付加ゲート駆動ユニットの第ｍ−１段付加信号入力端は前記第一段ゲート駆動ユニットの第一出力端に電気接続され、前記第ｍ段付加ゲート駆動ユニットの第一付加出力端はそれぞれ、前記第ｍ＋１段付加ゲート駆動ユニットの第ｍ−１段付加信号入力端と後ろから第三段ゲート駆動ユニットの第ｎ+３段信号入力端とに電気接続され、前記第二付加出力端は後ろから第一段ゲート駆動ユニットの第ｎ＋１段信号入力端に電気接続され、
前記第ｍ段付加ゲート駆動ユニットが第二段付加ゲート駆動ユニットであるとき、前記第ｍ段付加ゲート駆動ユニットの第ｍ−１段付加信号入力端は第ｍ−１段付加ゲート駆動ユニットの第一付加出力端に電気接続され、前記第ｍ段付加ゲート駆動ユニットの第一付加出力端はそれぞれ、前記第ｍ＋１段付加ゲート駆動ユニットの第ｍ−１段付加信号入力端と後ろから第二段ゲート駆動ユニットの第ｎ+３段信号入力端とに電気接続され、前記第二付加出力端は不通状態になり、
前記第ｍ段付加ゲート駆動ユニットが第三段付加ゲート駆動ユニットであるとき、前記第ｍ段付加ゲート駆動ユニットの第ｍ−１段付加信号入力端は第ｍ−１段付加ゲート駆動ユニットの第一付加出力端に電気接続され、前記第ｍ段付加ゲート駆動ユニットの第一付加出力端はそれぞれ、前記第ｍ＋１段付加ゲート駆動ユニットの第ｍ−１段付加信号入力端と後ろから第一段ゲート駆動ユニットの第ｎ+３段信号入力端とに電気接続され、前記第二付加出力端は不通状態になり、
前記集積ゲート駆動回路の第ｎ段ゲート駆動ユニットは、
第ｎ−２段信号入力端、高周波タイミング信号第一入力端、第ｎ+３段信号入力端、第一出力端及び第二出力端にそれぞれ電気接続される駆動ユニットと、
第ｎ＋１段信号入力端、低周波タイミング信号第一入力端、低周波タイミング信号第二入力端、低レベル入力端及び駆動ユニットにそれぞれ電気接続されるドロップダウンユニットとを更に含み、
前記集積ゲート駆動回路の第ｍ段付加ゲート駆動ユニットは付加駆動ユニットと付加ドロップダウンユニットとを更に含む。
付加駆動ユニットはそれぞれ、第ｍ−１段付加信号入力端、高周波タイミング信号第一入力端、低周波タイミング信号第一入力端、第一付加出力端及び第二付加出力端に電気接続され、
付加ドロップダウンユニットはそれぞれ、低周波タイミング信号第一入力端、低周波タイミング信号第二入力端、低レベル入力端及び付加駆動ユニットに電気接続される。
【０００８】
前記低レベル入力端の入力信号は低レベル信号であり、前記高周波タイミング信号第一入力端と高周波タイミング信号第二入力端の入力信号は第一高周波タイミング信号、第二高周波タイミング信号、第三高周波タイミング信号または第四高周波タイミング信号であり、前記第一高周波タイミング信号と第三高周波タイミング信号の位相は反対であり、前記第二高周波タイミング信号と第四高周波タイミング信号の位相は反対であり、前記第一高周波タイミング信号、第三高周波タイミング信号と第二高周波タイミング信号、第四高周波タイミング信号の波形は同様であるが、最初の位相は異なっており、
前記集積ゲート駆動回路の第ｎ段ゲート駆動ユニットの高周波タイミング信号第一入力端の入力信号が第一高周波タイミング信号であるとき、前記第ｎ＋１段、第ｎ＋２段、第ｎ＋１段ゲート駆動ユニットの高周波タイミング信号第一入力端の入力信号はそれぞれ、第二、第三、第四周波タイミング信号になり、
前記集積ゲート駆動回路の第ｍ段付加ゲート駆動ユニットの高周波タイミング信号第一入力端と高周波タイミング信号第二入力端の入力信号がそれぞれ第ｋと第ｋ−１タイミング信号であるとき、前記集積ゲート駆動回路の第ｍ＋１段付加ゲート駆動ユニットの高周波タイミング信号第一入力端と高周波タイミング信号第二入力端の入力信号はそれぞれ第ｋ＋１と第ｋタイミング信号になり、前記ｋの値は１〜４であり、かつｋが１であるとき、ｋ−１は４であり、ｋが４であるとき、ｋ＋１は１であり、
前記低周波タイミング信号第一入力端と低周波タイミング信号第二入力端の入力信号は第一低周波タイミング信号であるか或いは第二低周波タイミング信号であり、前記第一低周波タイミング信号と第二低周波タイミング信号の電圧は互いに補い合い、
前記集積ゲート駆動回路の第ｎ段ゲート駆動ユニットの低周波タイミング信号第一入力端と低周波タイミング信号第二入力端の入力信号がそれぞれ第一低周波タイミング信号と第二低周波タイミング信号であるとき、前記第ｎ＋１段ゲート駆動ユニットの低周波タイミング信号第一入力端と低周波タイミング信号第二入力端の入力信号はそれぞれ第二低周波タイミング信号と第一低周波タイミング信号になり、
前記集積ゲート駆動回路の第ｍ段付加ゲート駆動ユニットの低周波タイミング信号第一入力端と低周波タイミング信号第二入力端の入力信号がそれぞれ第一低周波タイミング信号と第二低周波タイミング信号であるとき、前記第ｍ＋１段付加ゲート駆動ユニットの低周波タイミング信号第一入力端と低周波タイミング信号第二入力端の入力信号はそれぞれ第二低周波タイミング信号と第一低周波タイミング信号になる。
【０００９】
前記駆動ユニットは、コンデンサー、第一薄膜トランジスタ、第二薄膜トランジスタ及び第三薄膜トランジスタを含み、前記第一薄膜トランジスタは、第一ゲート、第一ソース及び第一ドレインを含み、前記第二薄膜トランジスタは、第二ゲート、第二ソース及び第二ドレインを含み、前記第三薄膜トランジスタは、第三ゲート、第三ソース及び第三ドレインを含み、前記第一ゲートと第一ドレインは前記第ｎ−２段信号入力端に電気接続され、前記第一ソースはそれぞれ、コンデンサーの一端、第二ゲート、第三ドレイン、第二出力端及びドロップダウンユニットに電気接続され、前記第二ドレインは高周波タイミング信号第一入力端に電気接続され、前記第二ソースは、コンデンサーの他端、第一出力端及びドロップダウンユニットに電気接続され、前記第三ゲートは前記第ｎ+３段信号入力端に電気接続され、前記第三ソースは低レベル入力端に電気接続され、
前記付加駆動ユニットは、付加コンデンサー、第二十一薄膜トランジスタ、第二十二薄膜トランジスタ及び第二十三薄膜トランジスタを含み、前記第二十一薄膜トランジスタは、第二十一ゲート、第二十一ソース及び第二十一ドレインを含み、前記第二十二薄膜トランジスタは、第二十二ゲート、第二十二ソース及び第二十二ドレインを含み、前記第二十三薄膜トランジスタは、第二十三ゲート、第二十三ソース及び第二十三ドレインを含み、前記第二十一ゲート、第二十一ドレイン及び第二十二ドレインはいずれも、前記第ｍ−１段付加信号入力端に電気接続され、前記第二十一ソースはそれぞれ、付加コンデンサーの一端、第二十三ゲート、第二十二ソース、第二付加出力端及び付加ドロップダウンユニットに電気接続され、前記第二十二ゲートは高周波タイミング信号第二入力端に電気接続され、前記第二十三ドレインは高周波タイミング信号第一入力端に電気接続され、前記第二十三ソースは、付加コンデンサーの他端、第一付加出力端及び付加ドロップダウンユニットに電気接続される。
【００１０】
前記ドロップダウンユニットは、第一ドロップダウンユニット、第一ドロップダウン信号生成ユニット、第二ドロップダウンユニット及び第二ドロップダウン信号生成ユニットを含み、前記第一ドロップダウンユニットはそれぞれ、駆動ユニット、第一ドロップダウン信号生成ユニット、第二ドロップダウンユニット及び低レベル入力端に電気接続され、第一ドロップダウン信号生成ユニットはそれぞれ、第一ドロップダウンユニット、低周波タイミング信号第一入力端、低周波タイミング信号第二入力端及び低レベル入力端に電気接続され、前記第二ドロップダウンユニットはそれぞれ、駆動ユニット、第二ドロップダウン信号生成ユニット、第一ドロップダウンユニット及び低レベル入力端に電気接続され、前記第二ドロップダウン信号生成ユニットはそれぞれ、第二ドロップダウンユニット、低周波タイミング信号第一入力端、低周波タイミング信号第二入力端及び低レベル入力端に電気接続され、
前記第一ドロップダウンユニットは第四薄膜トランジスタと第五薄膜トランジスタを含み、前記第四薄膜トランジスタは、第四ゲート、第四ソース及び第四ドレインを含み、前記第五薄膜トランジスタは、第五ゲート、第五ソース及び第五ドレインを含み、前記第四ゲートと第五ゲートはいずれも、前記第一ドロップダウン信号生成ユニットに電気接続され、前記第四ドレインはそれぞれ、第一ソース、コンデンサーの一端、第二ゲート、第三ドレイン、第二出力端、第二ドロップダウン信号生成ユニット及び第二ドロップダウンユニットに電気接続され、前記第四ソースと第五ソースはいずれも、前記低レベル入力端に電気接続され、前記第五ドレインはそれぞれ、第二ソース、コンデンサーの他端、第一出力端及び第二ドロップダウンユニットに電気接続され、
前記第二ドロップダウンユニットは第六薄膜トランジスタと第七薄膜トランジスタを含み、前記第六薄膜トランジスタは、第六ゲート、第六ソース及び第六ドレインを含み、前記第七薄膜トランジスタは、第七ゲート、第七ソース及び第七ドレインを含み、前記第六ゲートと前記第七ゲートはいずれも、前記第二ドロップダウン信号生成ユニットに電気接続され、前記第六ソースと前記第七ソースはいずれも、低レベル入力端に電気接続され、前記第六ドレインはそれぞれ、第一ソース、コンデンサーの一端、第二ゲート、第三ドレイン、第四ドレイン、第二出力端及び第二ドロップダウン信号生成ユニットに電気接続され、前記第七ソースはそれぞれ、第二ソース、コンデンサーの他端、第一出力端及び第五ドレインに電気接続され、
前記第一ドロップダウン信号生成ユニットは、第八薄膜トランジスタ、第九薄膜トランジスタ、第十薄膜トランジスタ、第十一薄膜トランジスタ及び第十二薄膜トランジスタを含み、前記第八薄膜トランジスタは、第八ゲート、第八ソース及び第八ドレインを含み、前記第九薄膜トランジスタは、第九ゲート、第九ソース及び第九ドレインを含み、前記第十薄膜トランジスタは、第十ゲート、第十ソース及び第十ドレインを含み、前記第十一薄膜トランジスタは、第十一ゲート、第十一ソース及び第十一ドレインを含み、前記第十二薄膜トランジスタは、第十二ゲート、第十二ソース及び第十二ドレインを含み、前記第八ゲート、第八ドレイン、第九ドレイン、第十ゲートはいずれも、低周波タイミング信号第二入力端に電気接続され、前記第八ソースはそれぞれ、前記第九ソース、第十ドレイン、第四ゲート及び第五ゲートに電気接続され、前記第十ソースはそれぞれ、第十一ドレインと第十二ドレインに電気接続され、前記第十一ゲートはそれぞれ、前記第一ソース、コンデンサーの一端、第二ゲート、第三ドレイン、第四ドレイン、第六ドレイン及び第二出力端に電気接続され、前記第十一ソースと第十二ソースはいずれも、前記低レベル入力端に電気接続され、前記第十二ゲートは前記第ｎ＋１段信号入力端に電気接続され、
前記第二ドロップダウン信号生成ユニットは、第十四薄膜トランジスタ、第十五薄膜トランジスタ、第十六薄膜トランジスタ、第十七薄膜トランジスタ及び第十八薄膜トランジスタを含み、前記第十四薄膜トランジスタは、第十四ゲート、第十四ソース及び第十四ドレインを含み、前記第十五薄膜トランジスタは、第十五ゲート、第十五ソース及び第十五ドレインを含み、前記第十六薄膜トランジスタは、第十六ゲート、第十六ソース及び第十六ドレインを含み、前記第十七薄膜トランジスタは、第十七ゲート、第十七ソース及び第十七ドレインを含み、前記第十八薄膜トランジスタは、第十八ゲート、第十八ソース及び第十八ドレインを含み、前記第十四ゲート、第十四ドレイン、第十五ドレイン及び第十六ゲートはいずれも、低周波タイミング信号第一入力端に電気接続され、前記第十四ソースはそれぞれ、前記第十五ソース、第十六ドレイン、第六ゲート及び第七ゲートに電気接続され、前記第六ソースはそれぞれ前記第十七ドレインと第十八ドレインに電気接続される。前記第十七ゲートはそれぞれ、前記第十一ゲート、前記第一ソース、コンデンサーの一端、第二ゲート、第三ドレイン、第四ドレイン、第六ドレイン及び第二出力端に電気接続され、前記第十七ソース、第十八ソースはいずれも、前記低レベル入力端に電気接続され、前記第十八ゲートは前記第ｎ＋１段信号入力端に電気接続される。
【００１１】
前記第九ゲートは前記低周波タイミング信号第一入力端に電気接続され、前記第十五ゲートは前記低周波タイミング信号第二入力端に電気接続される。
【００１２】
前記第九ゲートはそれぞれ、前記第八ソース、前記第九ソース、第十ドレイン、第四ゲート及び第五ゲートに電気接続され、前記第十五ゲートはそれぞれ、前記第十四ソース、前記第十五ソース、第十六ドレイン、第六ゲート及び第七ゲートに電気接続される。
【００１３】
前記第一ドロップダウン信号生成ユニットは第十三薄膜トランジスタを更に含み、前記第十三薄膜トランジスタは、第十三ゲート、第十三ソース及び第十三ドレインを含み、前記第十三ゲートはそれぞれ、第一ゲート、第一ドレイン及び前記第ｎ−２段信号入力端に電気接続され、前記第十三ドレインはそれぞれ、前記第十ソース、前記第十一ドレイン及び第十二ドレインに電気接続され、前記第十三ソースは低レベル入力端２７に電気接続され、
前記第二ドロップダウン信号生成ユニットは第十九薄膜トランジスタを更に含み、前記第十九薄膜トランジスタは、第十九ゲート、第十九ソース及び第十九ドレインを含み、前記第十九ゲートはそれぞれ、前記第十三ゲート、第一ゲート、第一ドレイン及び前記第ｎ−２段信号入力端に電気接続され、前記第十九ドレインはそれぞれ、前記第十六ソース、前記第十七ドレイン及び第十八ドレインに電気接続され、前記第十九ソースは低レベル入力端に電気接続される。
【００１４】
前記第ｎ段ゲート駆動ユニットは第ｎ−１段信号入力端と第三出力端を更に含み、前記第ｎ段ゲート駆動ユニットが第二段〜後ろから第一段ゲート駆動ユニットのうちいずれか１つのゲート駆動ユニットであるとき、前記第ｎ段ゲート駆動ユニットの第ｎ−１段信号入力端は第ｎ−１段ゲート駆動ユニットの第三出力端に電気接続され、前記第ｎ段ゲート駆動ユニットが第一段ゲート駆動ユニットであるとき、前記第ｎ段ゲート駆動ユニットは第ｎ−１段信号入力端を含んでおらず、前記第ｎ段ゲート駆動ユニットが第一段〜後ろから第二段ゲート駆動ユニットのうちいずれか１つのゲート駆動ユニットであるとき、前記第ｎ段ゲート駆動ユニットの第三出力端は前記第ｎ＋１段ゲート駆動ユニットの第ｎ−１段信号入力端に電気接続され、前記第ｎ段ゲート駆動ユニットが後ろから第一段ゲート駆動ユニットであるとき、前記第ｎ段ゲート駆動ユニットの第三出力端は不通状態になり、
前記ドロップダウンユニットは、第一ドロップダウンユニット、第二ドロップダウンユニット及び第二ドロップダウン信号生成ユニットを含み、前記第一ドロップダウンユニットはそれぞれ、駆動ユニット、第ｎ−１段信号入力端と低レベル入力端に電気接続され、前記第二ドロップダウンユニットはそれぞれ、駆動ユニット、第二ドロップダウン信号生成ユニット、第一ドロップダウンユニット及び低レベル入力端に電気接続され、前記第二ドロップダウン信号生成ユニットはそれぞれ、駆動ユニット、第二ドロップダウンユニット、低周波タイミング信号第一入力端、低周波タイミング信号第二入力端及び低レベル入力端に電気接続され、
前記第一ドロップダウンユニットは第四薄膜トランジスタと第五薄膜トランジスタを含み、前記第四薄膜トランジスタは、第四ゲート、第四ソース及び第四ドレインを含み、前記第五薄膜トランジスタは、第五ゲート、第五ソース及び第五ドレインを含み、前記第四ゲートと第五ゲートはいずれも前記第ｎ−１段信号入力端に電気接続され、前記第四ドレインはそれぞれ、第一ソース、コンデンサーの一端、第二ゲート、第三ドレイン、第二出力端、第二ドロップダウン信号生成ユニット及び第二ドロップダウンユニットに電気接続され、前記第四ソースと第五ソースはいずれも低レベル入力端に電気接続され、前記第五ドレインはそれぞれ、第二ソース、コンデンサーの他端、第一出力端及び第二ドロップダウンユニットに電気接続され、
前記第二ドロップダウンユニットは第六薄膜トランジスタと第七薄膜トランジスタを含み、前記第六薄膜トランジスタは、第六ゲート、第六ソース及び第六ドレインを含み、前記第七薄膜トランジスタは、第七ゲート、第七ソース及び第七ドレインを含み、前記第六ゲートは、前記第二ドロップダウン信号生成ユニット、第七ゲート及び第三出力端に電気接続され、前記第六ドレインはそれぞれ、第一ソース、コンデンサーの一端、第二ゲート、第三ドレイン、第四ドレイン、第二出力端及び第二ドロップダウン信号生成ユニットに電気接続され、前記第六ソースと第七ソースはいずれも低レベル入力端に電気接続され、前記第七ドレインはそれぞれ、第二ソース、コンデンサーの他端、第一出力端及び第五ドレインに電気接続され、
前記第二ドロップダウン信号生成ユニットは、第十四薄膜トランジスタ、第十五薄膜トランジスタ、第十六薄膜トランジスタ、第十七薄膜トランジスタ及び第十八薄膜トランジスタを含み、前記第十四薄膜トランジスタは、第十四ゲート、第十四ソース及び第十四ドレインを含み、前記第十五薄膜トランジスタは、第十五ゲート、第十五ソース及び第十五ドレインを含み、前記第十六薄膜トランジスタは、第十六ゲート、第十六ソース及び第十六ドレインを含み、前記第十七薄膜トランジスタは、第十七ゲート、第十七ソース及び第十七ドレインを含み、前記第十八薄膜トランジスタは、第十八ゲート、第十八ソース及び第十八ドレインを含み、前記十四ゲート、第十四ドレイン、第十五ドレイン及び第十六ゲートはいずれも、低周波タイミング信号第一入力端に電気接続され、前記第十四ソースはそれぞれ、前記第十五ソース、第十六ドレイン、第六ゲート、第七ゲート及び第三出力端に電気接続され、前記第十六ソースはそれぞれ、前記第十七ドレインと第十八ドレインに電気接続され、前記第十七ゲートはそれぞれ、前記第一ソース、コンデンサーの一端、第二ゲート、第三ドレイン、第四ドレイン及び第六ドレインに電気接続され、前記第十七ソースと第十八ソースは低レベル入力端に電気接続され、前記第十八ゲートは前記第ｎ＋１段信号入力端に電気接続される。
【００１５】
前記第十五ゲートは前記低周波タイミング信号第二入力端に電気接続される。
【００１６】
前記第十五ゲートはそれぞれ、前記第十四ソース、第十五ソース、第十六ドレイン、第六ゲート、第七ゲート及び第三出力端に電気接続される。
【００１７】
前記第二ドロップダウン信号生成ユニットは第十九薄膜トランジスタを更に含み、該第十九薄膜トランジスタは、第十九ゲート、第十九ソース及び第十九ドレインを含み、前記第十九ゲートはそれぞれ、前記第一ゲート、第一ドレイン及び前記第ｎ−２段信号入力端に電気接続され、前記第十九ドレインはそれぞれ、前記第十六ソース、前記第十七ドレイン及び第十八ドレインに電気接続され、前記第十九ソースは低レベル入力端に電気接続される。
【００１８】
前記付加ドロップダウンユニットは、第一付加ドロップダウンユニット、第一付加ドロップダウン信号生成ユニット、第二付加ドロップダウンユニット及び第二付加ドロップダウン信号生成ユニットを含み、前記第一付加ドロップダウンユニットはそれぞれ、付加駆動ユニット、第一付加ドロップダウン信号生成ユニット、第二付加ドロップダウンユニット及び低レベル入力端に電気接続され、第一付加ドロップダウン信号生成ユニットはそれぞれ、第一付加ドロップダウンユニット、低周波タイミング信号第一入力端、低周波タイミング信号第二入力端及び低レベル入力端に電気接続され、前記第二付加ドロップダウンユニットはそれぞれ、付加駆動ユニット、第二付加ドロップダウン信号生成ユニット、第一付加ドロップダウンユニット及び低レベル入力端に電気接続され、前記第二付加ドロップダウン信号生成ユニットはそれぞれ、第二付加ドロップダウンユニット、低周波タイミング信号第一入力端、低周波タイミング信号第二入力端及び低レベル入力端に電気接続される。
【００１９】
前記第一付加ドロップダウンユニットは第二十四薄膜トランジスタと第二十五薄膜トランジスタを含み、前記第二十四薄膜トランジスタは、第二十四ゲート、第二十四ソース及び第二十四ドレインを含み、前記第二十五薄膜トランジスタは、第二十五ゲート、第二十五ソース及び第二十五ドレインを含み、前記第二十四ゲートは前記第一付加ドロップダウン信号生成ユニット及び第二十五ゲートに電気接続され、前記第二十四ドレインはそれぞれ、第二十一ソース、第二十二ソース、付加コンデンサーの一端、第二十三ゲート、第二付加出力端、第二付加ドロップダウン信号生成ユニット及び第二付加ドロップダウンユニットに電気接続され、前記第二十五ドレインは、付加コンデンサーの他端、第一付加出力端及び第二付加ドロップダウンユニットに電気接続され、前記第二十五ソースは低レベル入力端に電気接続され、
前記第二付加ドロップダウンユニットは第二十六薄膜トランジスタと第二十七薄膜トランジスタを含み、前記第二十六薄膜トランジスタは、第二十六ゲート、第二十六ソース及び第二十六ドレインを含み、前記第二十七薄膜トランジスタは、第二十七ゲート、第二十七ソース及び第二十七ドレインを含み、前記第二十六ゲートは前記第二付加ドロップダウン信号生成ユニットと第二十七ゲートに電気接続され、前記第二十六ソースは低レベル入力端に電気接続され、前記第二十六ドレインはそれぞれ、第二十四ソース、第二十一ソース、第二十二ソース、付加コンデンサーの一端、第二十三ゲート、第二付加出力端及び第二付加ドロップダウン信号生成ユニットに電気接続され、前記第二十七ドレインはそれぞれ、付加コンデンサーの他端、第一付加出力端、第二十五ドレイン及び第二十三ソースに電気接続され、前記第二十七ソースは低レベル入力端に電気接続される。
【００２０】
前記第二十四ソースは低レベル入力端に電気接続され、前記第二十六ソースは低レベル入力端に電気接続される。
【００２１】
前記第二十四ソースはそれぞれ、前記第二十五ドレイン、付加コンデンサーの他端、第一付加出力端及び第二付加ドロップダウンユニットに電気接続され、前記第二十六ソースはそれぞれ、前記第二十七ドレイン、付加コンデンサーの他端、第一付加出力端、第二十五ドレイン及び第二十三ソースに電気接続される。
【００２２】
前記第一付加ドロップダウン信号生成ユニットは、第二十八薄膜トランジスタ、第二十九薄膜トランジスタ、第三十薄膜トランジスタ及び第三十一薄膜トランジスタを含み、前記第二十八薄膜トランジスタは、第二十八ゲート、第二十八ソース及び第二十八ドレインを含み、前記第二十九薄膜トランジスタは、第二十九ゲート、第二十九ソース及び第二十九ドレインを含み、前記第三十薄膜トランジスタは、第三十ゲート、第三十ソース及び第三十ドレインを含み、前記第三十一薄膜トランジスタは、第三十一ゲート、第三十一ソース及び第三十一ドレインを含み、前記第二十八ゲート、第二十八ドレイン、第二十九ドレイン及び第三十ゲートはいずれも、前記低周波タイミング信号第二入力端に電気接続され、前記第二十八ソースはそれぞれ、前記第二十九ソース、第三十ドレイン、第二十四ゲート及び第二十五ゲートに電気接続され、前記第三十ソースは前記第三十一ドレインに電気接続され、前記第三十一ゲートはそれぞれ、第二十一ソース、第二十二ソース、付加コンデンサーの一端、第二十三ゲート、第二付加出力端、第二十六ドレイン及び第二十四ドレインに電気接続され、前記第三十一ソースは低レベル入力端に電気接続され、
前記第二付加ドロップダウン信号生成ユニットは、第三十二薄膜トランジスタ、第三十三薄膜トランジスタ、第三十四薄膜トランジスタ及び第三十五薄膜トランジスタを含み、前記第三十二薄膜トランジスタは、第三十二ゲート、第三十二ソース及び第三十二ドレインを含み、前記第三十三薄膜トランジスタは、第三十三ゲート、第三十三ソース及び第三十三ドレインを含み、前記第三十四薄膜トランジスタは、第三十四ゲート、第三十四ソース及び第三十四ドレインを含み、前記第三十五薄膜トランジスタは、第三十五ゲート、第三十五ソース及び第三十五ドレインを含み、前記第三十二ゲート、第三十二ドレイン、第三十三ソースドレイン及び第三十四ゲートはいずれも、前記低周波タイミング信号第一入力端に電気接続され、前記第三十二ソースはそれぞれ、前記第三十三ソース、第三十四ドレイン、第二十六ゲート及び第二十七ゲートに電気接続され、前記第三十四ソースは前記第三十五ドレインに電気接続され、前記三十五ゲートはそれぞれ、第三十一ゲート、第二十一ソース、第二十二ソース、付加コンデンサーの一端、第二十三ゲート、第二付加出力端、第二十六ドレイン及び第二十四ドレインに電気接続され、前記三十五ソースは低レベル入力端に電気接続される。
【００２３】
前記第二十九ゲートは前記低周波タイミング信号第一入力端に電気接続され、前記第三十三ゲートは前記低周波タイミング信号第二入力端に電気接続される。
【００２４】
前記第二十九ゲートはそれぞれ、前記第二十八ソース、前記第二十九ソース、第三十ドレイン、第二十四ゲート、第二十五ゲートに電気接続され、前記第三十三ゲートはそれぞれ、前記第三十二ソース、第三十三ソース、前記第三十四ドレイン、第二十六ゲート、第二十七ゲートに電気接続される。
【００２５】
集積ゲート駆動回路を具備する表示パネルであって、データ駆動回路と表示パネル本体を含み、前記表示パネル本体は前記集積ゲート駆動回路と表示パネル画素区域を含み、前記表示パネル画素区域は排列されている複数個の画素ユニットを含む。
【発明の効果】
【００２６】
本発明の効果は次のとおりである。本発明の集積ゲート駆動回路と集積ゲート駆動回路を具備する表示パネルにおいて、回路が一対のドロップダウン構造を採用することにより、回路のドロップダウンユニットと付加ドロップダウンユニット中の薄膜トランジスタは二極性電圧バイアスの作動環境で作動することができ、ドロップダウンユニットと付加ドロップダウンユニット中の薄膜トランジスタの閾値電圧の変化を有効に抑制し、回路の作動寿命を延長することができる。これにより、回路は大中サイズ表示パネルの要求を満たすことができる。また、回路の構造が簡単であり、電気消耗が少なく、低温及び高温の作動環境に適用することができる利点を有している。
【００２７】
本発明の特徴及び技術的事項をより詳細に了解するため、本発明の下記明細書及び図面を参照することができる。しかし、添付された図面は、本発明を説明するためのものであるが、本発明を限定するものでない。
【図面の簡単な説明】
【００２８】
下記図面によって本発明の具体的な実施形態を詳細に説明することにより、本発明の技術的事項及び発明の効果をより詳細に理解することができる。
【図１】本発明の集積ゲート駆動回路の構造を示す図である。
【図２Ａ】本発明の集積ゲート駆動回路を示すシーケンス図である。
【図２Ｂ】本発明の集積ゲート駆動回路を示す他のシーケンス図である。
【図３】本発明の集積ゲート駆動回路のゲート駆動ユニットを示す構造図である。
【図４】本発明の集積ゲート駆動回路の付加ゲート駆動ユニットを示す構造図である。
【図５】本発明のゲート駆動ユニットの第一実施例を示す回路図である。
【図６Ａ】本発明のゲート駆動ユニットの第一実施例を示すシーケンス図である。
【図６Ｂ】本発明のゲート駆動ユニットの第一実施例を示す他のシーケンス図である。
【図７】ドロップダウンユニット中の薄膜トランジスタの閾値電圧の変化を示すテスト図である。
【図８】ドロップダウンユニット中の薄膜トランジスタのオン電流の退化を示すテスト図である。
【図９】本発明のゲート駆動ユニットの第二実施例を示す回路図である。
【図１０】本発明のゲート駆動ユニットの第三実施例を示す回路図である。
【図１１】本発明のゲート駆動ユニットの第四実施例を示す回路図である。
【図１２Ａ】本発明のゲート駆動ユニットの第四実施例を示すシーケンス図である。
【図１２Ｂ】本発明のゲート駆動ユニットの第四実施例を示す他のシーケンス図である。
【図１３】本発明のゲート駆動ユニットの第五実施例を示す回路図である。
【図１４】本発明のゲート駆動ユニットの第六実施例を示す回路図である。
【図１５】本発明の付加ゲート駆動ユニットの第一実施例を示す回路図である。
【図１６】本発明の付加ゲート駆動ユニットの第一実施例を示すシーケンス図である。
【図１７】本発明の付加ゲート駆動ユニットの第二実施例を示すシーケンス図である。
【図１８】本発明の付加ゲート駆動ユニットの第三実施例を示すシーケンス図である。
【図１９】本発明の付加ゲート駆動ユニットの第四実施例を示すシーケンス図である。
【図２０】本発明の集積ゲート駆動回路を具備する表示パネルを示す構造図である。
【発明を実施するための形態】
【００２９】
本発明の目的、技術的事項及び発明の効果をより詳細に説明するため、以下、図面により本発明をより詳細に説明する。
【００３０】
図１〜図４を参照すると、本発明の集積ゲート駆動回路が示されており、該集積ゲート駆動回路は、電極接続型多段ゲート駆動ユニットと多段付加ゲート駆動ユニットを含む。
【００３１】
前記第ｎ段ゲート駆動ユニットは、第ｎ−２段信号入力端２１、第ｎ＋１段信号入力端２２、第ｎ+３段信号入力端２３、高周波タイミング信号第一入力端２４、低周波タイミング信号第一入力端２５、低周波タイミング信号第二入力端２６、低レベル入力端２７、第一出力端２８及び第二出力端２９を含む。前記第ｎ段ゲート駆動ユニットの第一出力端２８は表示パネルの画素区域を駆動することに用いられる。
【００３２】
前記第ｍ段付加ゲート駆動ユニットは、第ｍ−１段付加信号入力端３５、高周波タイミング信号第一入力端２４、高周波タイミング信号第二入力端３４、低周波タイミング信号第一入力端２５、低周波タイミング信号第二入力端２６、低レベル入力端２７、第一付加出力端３８及び第二付加出力端３９を含む。
【００３３】
前記第ｎ段ゲート駆動ユニットが第四段〜後ろから第四段ゲート駆動ユニットのうちいずれか１つのゲート駆動ユニットであるとき、前記第ｎ段ゲート駆動ユニットの第ｎ−２段信号入力端２１は第ｎ−２段ゲート駆動ユニットの第一出力端２８に電気接続され、前記第ｎ段ゲート駆動ユニットの第ｎ＋１段信号入力端２２は第ｎ＋１段ゲート駆動ユニットの第二出力端２９に電気接続され、前記第ｎ段ゲート駆動ユニットの第ｎ+３段信号入力端２３は第ｎ+３段ゲート駆動ユニットの第一出力端２８に電気接続され、前記第ｎ段ゲート駆動ユニットの第一出力端２８はそれぞれ、第ｎ+２段ゲート駆動ユニットの第ｎ−２段信号入力端２１と第ｎ−３段ゲート駆動ユニットの第ｎ+３段信号入力端２３とに電気接続され、前記第ｎ段ゲート駆動ユニットの第二出力端２９は第ｎ−１段ゲート駆動ユニットの第ｎ＋１段信号入力端２２に電気接続される。
【００３４】
前記第ｎ段ゲート駆動ユニットが第一段ゲート駆動ユニットであるとき、前記第ｎ段ゲート駆動ユニットの第ｎ−２段信号入力端２１にはパルス激励信号が入力され、前記第ｎ段ゲート駆動ユニットの第ｎ＋１段信号入力端２２は第ｎ＋１段ゲート駆動ユニットの第二出力端２９に電気接続され、前記第ｎ段ゲート駆動ユニットの第ｎ+３段信号入力端２３は第ｎ+３段ゲート駆動ユニットの第一出力端２８に電気接続され、前記第ｎ段ゲート駆動ユニットの第一出力端２８は第ｎ+２段ゲート駆動ユニットの第ｎ−２段信号入力端２１に電気接続され、前記第ｎ段ゲート駆動ユニットの第二出力端２９は不通状態になる。
【００３５】
前記第ｎ段ゲート駆動ユニットが第二段ゲート駆動ユニットであるとき、前記第ｎ段ゲート駆動ユニットの第ｎ−２段信号入力端２１にはパルス激励信号が入力され、前記第ｎ段ゲート駆動ユニットの第ｎ＋１段信号入力端２２は第ｎ＋１段ゲート駆動ユニットの第二出力端２９に電気接続され、前記第ｎ段ゲート駆動ユニットの第ｎ+３段信号入力端２３は第ｎ+３段ゲート駆動ユニットの第一出力端２８に電気接続され、前記第ｎ段ゲート駆動ユニットの第一出力端２８は第ｎ+２段ゲート駆動ユニットの第ｎ−２段信号入力端２１に電気接続され、前記第ｎ段ゲート駆動ユニットの第二出力端２９は第ｎ−１段ゲート駆動ユニットの第ｎ＋１段信号入力端２２に電気接続される。
【００３６】
前記第ｎ段ゲート駆動ユニットが第三段ゲート駆動ユニットであるとき、前記第ｎ段ゲート駆動ユニットの第ｎ−２段信号入力端２１は第ｎ−２段ゲート駆動ユニットの第一出力端２８に電気接続され、前記第ｎ段ゲート駆動ユニットの第ｎ＋１段信号入力端２２は第ｎ＋１段ゲート駆動ユニットの第二出力端２９に電気接続され、前記第ｎ段ゲート駆動ユニットの第ｎ+３段信号入力端２３は第ｎ+３段ゲート駆動ユニットの第一出力端２８に電気接続され、前記第ｎ段ゲート駆動ユニットの第一出力端２８は第ｎ+２段ゲート駆動ユニットの第ｎ−２段信号入力端２１に電気接続され、前記第ｎ段ゲート駆動ユニットの第二出力端２９は第ｎ−１段ゲート駆動ユニットの第ｎ＋１段信号入力端２２に電気接続される。
【００３７】
前記第ｎ段ゲート駆動ユニットが後ろから第三段ゲート駆動ユニットであるとき、前記第ｎ段ゲート駆動ユニットの第ｎ−２段信号入力端２１は第ｎ−２段ゲート駆動ユニットの第一出力端２８に電気接続され、前記第ｎ段ゲート駆動ユニットの第ｎ＋１段信号入力端２２は第ｎ＋１段ゲート駆動ユニットの第二出力端２９に電気接続され、前記第ｎ段ゲート駆動ユニットの第ｎ+３段信号入力端２３は第一段付加ゲート駆動ユニットの第一付加出力端３８に電気接続され、前記第ｎ段ゲート駆動ユニットの第一出力端２８はそれぞれ、第ｎ+２段ゲート駆動ユニットの第ｎ−２段信号入力端２１と第ｎ−３段ゲート駆動ユニットの第ｎ+３段信号入力端２３とに電気接続され、前記第ｎ段ゲート駆動ユニットの第二出力端２９は第ｎ−１段ゲート駆動ユニットの第ｎ＋１段信号入力端２２に電気接続される。
【００３８】
前記第ｎ段ゲート駆動ユニットが後ろから第二段ゲート駆動ユニットであるとき、前記第ｎ段ゲート駆動ユニットの第ｎ−２段信号入力端２１は第ｎ−２段ゲート駆動ユニットの第一出力端２８に電気接続され、前記第ｎ段ゲート駆動ユニットの第ｎ＋１段信号入力端２２は第ｎ＋１段ゲート駆動ユニットの第二出力端２９に電気接続され、前記第ｎ段ゲート駆動ユニットの第ｎ+３段信号入力端２３は第二段付加ゲート駆動ユニットの第一付加出力端３８に電気接続され、前記第ｎ段ゲート駆動ユニットの第一出力端２８は第ｎ−３段ゲート駆動ユニットの第ｎ+３段信号入力端２３に電気接続され、前記第ｎ段ゲート駆動ユニットの第二出力端２９は第ｎ−１段ゲート駆動ユニットの第ｎ＋１段信号入力端２２に電気接続される。
【００３９】
前記第ｎ段ゲート駆動ユニットが後ろから第一段ゲート駆動ユニットであるとき、前記第ｎ段ゲート駆動ユニットの第ｎ−２段信号入力端２１は第ｎ−２段ゲート駆動ユニットの第一出力端２８に電気接続され、前記第ｎ段ゲート駆動ユニットの第ｎ＋１段信号入力端２２は第一段付加ゲート駆動ユニットの第二付加出力端３９に電気接続され、前記第ｎ段ゲート駆動ユニットの第ｎ+３段信号入力端２３は第三段付加ゲート駆動ユニットの第一付加出力端３８に電気接続され、前記第ｎ段ゲート駆動ユニットの第一出力端２８はそれぞれ、第ｎ−３段ゲート駆動ユニットの第ｎ+３段信号入力端２３と第一段付加ゲート駆動ユニットの第ｍ−１段付加信号入力端３５とに電気接続され、前記第ｎ段ゲート駆動ユニットの第二出力端２９は第ｎ−１段ゲート駆動ユニットの第ｎ＋１段信号入力端２２に電気接続される。
【００４０】
前記第ｍ段付加ゲート駆動ユニットが第四段〜後ろから第一段付加ゲート駆動ユニットのうちいずれか１つの付加ゲート駆動ユニットであるとき、前記第ｍ段付加ゲート駆動ユニットの第ｍ−１段付加信号入力端３５は第ｍ−１段付加ゲート駆動ユニットの第一付加出力端３８に電気接続され、前記第ｍ段付加ゲート駆動ユニットの第一付加出力端３８は前記第ｍ＋１段付加ゲート駆動ユニットの第ｍ−１段付加信号入力端３５に電気接続され、前記第二付加出力端３９は不通状態になる。
【００４１】
前記第ｍ段付加ゲート駆動ユニットが第一段付加ゲート駆動ユニットであるとき、前記第ｍ段付加ゲート駆動ユニットの第ｍ−１段付加信号入力端３５は前記第一段ゲート駆動ユニットの第一出力端２８に電気接続され、前記第ｍ段付加ゲート駆動ユニットの第一付加出力端３８はそれぞれ、前記第ｍ＋１段付加ゲート駆動ユニットの第ｍ−１段付加信号入力端３５と後ろから第三段ゲート駆動ユニットの第ｎ+３段信号入力端２３とに電気接続され、前記第二付加出力端３９は後ろから第一段ゲート駆動ユニットの第ｎ＋１段信号入力端２２に電気接続される。
【００４２】
前記第ｍ段付加ゲート駆動ユニットが第二段付加ゲート駆動ユニットであるとき、前記第ｍ段付加ゲート駆動ユニットの第ｍ−１段付加信号入力端３５は第ｍ−１段付加ゲート駆動ユニットの第一付加出力端３８に電気接続され、前記第ｍ段付加ゲート駆動ユニットの第一付加出力端３８はそれぞれ、前記第ｍ＋１段付加ゲート駆動ユニットの第ｍ−１段付加信号入力端３５と後ろから第二段ゲート駆動ユニットの第ｎ+３段信号入力端２３とに電気接続され、前記第二付加出力端３９は不通状態になる。
【００４３】
前記第ｍ段付加ゲート駆動ユニットが第三段付加ゲート駆動ユニットであるとき、前記第ｍ段付加ゲート駆動ユニットの第ｍ−１段付加信号入力端３５は第ｍ−１段付加ゲート駆動ユニットの第一付加出力端３８に電気接続され、前記第ｍ段付加ゲート駆動ユニットの第一付加出力端３８はそれぞれ、前記第ｍ＋１段付加ゲート駆動ユニットの第ｍ−１段付加信号入力端３５と後ろから第一段ゲート駆動ユニットの第ｎ+３段信号入力端２３とに電気接続され、前記第二付加出力端３９は不通状態になる。
【００４４】
前記集積ゲート駆動回路の第ｎ段ゲート駆動ユニットは、
第ｎ−２段信号入力端２１、高周波タイミング信号第一入力端２４、第ｎ+３段信号入力端２３、第一出力端２８及び第二出力端２９にそれぞれ電気接続される駆動ユニット４２と、
第ｎ＋１段信号入力端２２、低周波タイミング信号第一入力端２５、低周波タイミング信号第二入力端２６、低レベル入力端２７及び駆動ユニット４２にそれぞれ電気接続されるドロップダウンユニット４４とを更に含む。
【００４５】
前記集積ゲート駆動回路の第ｍ段付加ゲート駆動ユニットは付加駆動ユニット５２と付加ドロップダウンユニット５４とを更に含む。
付加駆動ユニット５２はそれぞれ、第ｍ−１段付加信号入力端３１、高周波タイミング信号第一入力端２４、低周波タイミング信号第一入力端２５、第一付加出力端３８及び第二付加出力端３９に電気接続される。
付加ドロップダウンユニット５４はそれぞれ、低周波タイミング信号第一入力端２５、低周波タイミング信号第二入力端２６、低レベル入力端２７及び付加駆動ユニット５２に電気接続される。前記低レベル入力端２７の入力信号は低レベル信号Ｖｓｓであり、前記高周波タイミング信号第一入力端２４と高周波タイミング信号第二入力端３４の入力信号は第一高周波タイミング信号ＣＫ１、第二高周波タイミング信号ＣＫ２、第三高周波タイミング信号ＣＫ３または第四高周波タイミング信号ＣＫ４である。前記第一高周波タイミング信号ＣＫ１と第三高周波タイミング信号ＣＫ３の位相は反対であり、前記第二高周波タイミング信号ＣＫ２と第四高周波タイミング信号の位相は反対である。前記第一高周波タイミング信号、第三高周波タイミング信号と第二高周波タイミング信号、第四高周波タイミング信号の波形は同様であるが、最初の位相は異なっている（図２Ａ及び図２Ｂに示すとおり）。前記集積ゲート駆動回路の第ｎ段ゲート駆動ユニットの高周波タイミング信号第一入力端２４の入力信号が第一高周波タイミング信号であるとき、前記第ｎ＋１段、第ｎ＋２段、第ｎ＋１段ゲート駆動ユニットの高周波タイミング信号第一入力端２４の入力信号はそれぞれ、第二、第三、第四周波タイミング信号になる。前記集積ゲート駆動回路の第ｍ段付加ゲート駆動ユニットの高周波タイミング信号第一入力端２４と高周波タイミング信号第二入力端３４の入力信号がそれぞれ第ｋと第ｋ−１タイミング信号であるとき、前記集積ゲート駆動回路の第ｍ＋１段付加ゲート駆動ユニットの高周波タイミング信号第一入力端２４と高周波タイミング信号第二入力端３４の入力信号はそれぞれ第ｋ＋１と第ｋタイミング信号になる。前記ｋの値は１〜４である。ｋが１であるとき、ｋ−１は４であり、ｋが４であるとき、ｋ＋１は１である。
【００４６】
前記低周波タイミング信号第一入力端２５と低周波タイミング信号第二入力端２６の入力信号は第一低周波タイミング信号ＥＣＫであるか或いは第二低周波タイミング信号ＥＸＣＫであり、前記第一低周波タイミング信号と第二低周波タイミング信号の電圧は反対である。すなわち、第一低周波タイミング信号が高レベル信号であるとき、第二低周波タイミング信号は低レベル信号になり、第一低周波タイミング信号が低レベル信号であるとき、第二低周波タイミング信号は高レベル信号になる。前記集積ゲート駆動回路の第ｎ段ゲート駆動ユニットの低周波タイミング信号第一入力端２５と低周波タイミング信号第二入力端２６の入力信号がそれぞれ第一低周波タイミング信号と第二低周波タイミング信号であるとき、前記第ｎ＋１段ゲート駆動ユニットの低周波タイミング信号第一入力端２５と低周波タイミング信号第二入力端２６の入力信号はそれぞれ第二低周波タイミング信号と第一低周波タイミング信号になる。前記集積ゲート駆動回路の第ｍ段付加ゲート駆動ユニットの低周波タイミング信号第一入力端２５と低周波タイミング信号第二入力端２６の入力信号がそれぞれ第一低周波タイミング信号と第二低周波タイミング信号であるとき、前記第ｍ＋１段付加ゲート駆動ユニットの低周波タイミング信号第一入力端２５と低周波タイミング信号第二入力端２６の入力信号はそれぞれ第二低周波タイミング信号と第一低周波タイミング信号になる。
【００４７】
図５〜図８は本発明のゲート駆動ユニットの第一実施例を示す図であり、これらと図１〜図３とを一緒に参照することができる。
【００４８】
前記駆動ユニット４２は、コンデンサーＣｂ１、第一薄膜トランジスタＴ１、第二薄膜トランジスタＴ２及び第三薄膜トランジスタＴ３を含む。前記第一薄膜トランジスタＴ１は、第一ゲート、第一ソース及び第一ドレインを含み、前記第二薄膜トランジスタＴ２は、第二ゲート、第二ソース及び第二ドレインを含み、前記第三薄膜トランジスタＴ３は、第三ゲート、第三ソース及び第三ドレインを含む。前記第一ゲートと第一ドレインは前記第ｎ−２段信号入力端に電気接続され、前記第一ソースはそれぞれ、コンデンサーＣｂ１の一端、第二ゲート、第三ドレイン、第二出力端２９及びドロップダウンユニット４４に電気接続され、前記第二ドレインは高周波タイミング信号第一入力端２４に電気接続され、前記第二ソースは、コンデンサーＣｂ１の他端、第一出力端２８及びドロップダウンユニット４４に電気接続され、前記第三ゲートは前記第ｎ+３段信号入力端２３に電気接続され、前記第三ソースは低レベル入力端２７に電気接続される。
【００４９】
前記ドロップダウンユニット４４は、第一ドロップダウンユニット４５、第一ドロップダウン信号生成ユニット４６、第二ドロップダウンユニット４７及び第二ドロップダウン信号生成ユニット４８を含む。前記第一ドロップダウンユニット４５はそれぞれ、駆動ユニット４２、第一ドロップダウン信号生成ユニット４６、第二ドロップダウンユニット４７及び低レベル入力端２７に電気接続される。第一ドロップダウン信号生成ユニット４６はそれぞれ、第一ドロップダウンユニット４５、低周波タイミング信号第一入力端２５、低周波タイミング信号第二入力端２６及び低レベル入力端２７に電気接続される。前記第二ドロップダウンユニット４７はそれぞれ、駆動ユニット４２、第二ドロップダウン信号生成ユニット４８、第一ドロップダウンユニット４５及び低レベル入力端２７に電気接続される。前記第二ドロップダウン信号生成ユニット４８はそれぞれ、第二ドロップダウンユニット４７、低周波タイミング信号第一入力端２５、低周波タイミング信号第二入力端２６及び低レベル入力端２７に電気接続される。
【００５０】
前記第一ドロップダウンユニット４５は第四薄膜トランジスタＴ４と第五薄膜トランジスタＴ５を含む。前記第四薄膜トランジスタＴ４は、第四ゲート、第四ソース及び第四ドレインを含み、前記第五薄膜トランジスタＴ５は、第五ゲート、第五ソース及び第五ドレインを含む。前記第四ゲートと第五ゲートはいずれも、前記第一ドロップダウン信号生成ユニット４６に電気接続される。前記第四ドレインはそれぞれ、第一ソース、コンデンサーＣｂ１の一端、第二ゲート、第三ドレイン、第二出力端２９、第二ドロップダウン信号生成ユニット４８及び第二ドロップダウンユニット４７に電気接続される。前記第四ソースと第五ソースはいずれも、前記低レベル入力端２７に電気接続され、前記第五ドレインはそれぞれ、第二ソース、コンデンサーの他端、第一出力端２８及び第二ドロップダウンユニット４７に電気接続される。
【００５１】
前記第二ドロップダウンユニット４７は第六薄膜トランジスタＴ６と第七薄膜トランジスタＴ７を含む。前記第六薄膜トランジスタＴ６は、第六ゲート、第六ソース及び第六ドレインを含み、前記第七薄膜トランジスタＴ７は、第七ゲート、第七ソース及び第七ドレインを含む。前記第六ゲートと前記第七ゲートはいずれも、前記第二ドロップダウン信号生成ユニット４８に電気接続される。前記第六ソースと前記第七ソースはいずれも、低レベル入力端２７に電気接続される。前記第六ドレインはそれぞれ、第一ソース、コンデンサーの一端、第二ゲート、第三ドレイン、第四ドレイン、第二出力端２９及び第二ドロップダウン信号生成ユニット４８に電気接続される。前記第七ソースはそれぞれ、第二ソース、コンデンサーの他端、第一出力端２８及び第五ドレインに電気接続される。
【００５２】
前記第一ドロップダウン信号生成ユニット４６は、第八薄膜トランジスタＴ８、第九薄膜トランジスタＴ９、第十薄膜トランジスタＴ１０、第十一薄膜トランジスタＴ１１及び第十二薄膜トランジスタＴ１２を含む。前記第八薄膜トランジスタＴ８は、第八ゲート、第八ソース及び第八ドレインを含み、前記第九薄膜トランジスタＴ９は、第九ゲート、第九ソース及び第九ドレインを含み、前記第九ゲートは前記低周波タイミング信号第一入力端２５に電気接続される。前記第十薄膜トランジスタＴ１０は、第十ゲート、第十ソース及び第十ドレインを含み、前記第十一薄膜トランジスタＴ１１は、第十一ゲート、第十一ソース及び第十一ドレインを含み、前記第十二薄膜トランジスタＴ１２は、第十二ゲート、第十二ソース及び第十二ドレインを含む。前記第八ゲート、第八ドレイン、第九ドレイン、第十ゲートはいずれも、低周波タイミング信号第二入力端２６に電気接続される。前記第八ソースはそれぞれ、前記第九ソース、第十ドレイン、第四ゲート及び第五ゲートに電気接続され、前記第十ソースはそれぞれ、第十一ドレインと第十二ドレインに電気接続される。前記第十一ゲートはそれぞれ、前記第一ソース、コンデンサーＣｂ１の一端、第二ゲート、第三ドレイン、第四ドレイン、第六ドレイン及び第二出力端２９に電気接続される。前記第十一ソース、第十二ソースはいずれも、前記低レベル入力端２７に電気接続され、前記第十二ゲートは前記第ｎ＋１段信号入力端に電気接続される。
【００５３】
前記第二ドロップダウン信号生成ユニット４８は、第十四薄膜トランジスタＴ１４、第十五薄膜トランジスタＴ１５、第十六薄膜トランジスタＴ１６、第十七薄膜トランジスタＴ１７及び第十八薄膜トランジスタＴ１８を含む。前記第十四薄膜トランジスタＴ１４は、第十四ゲート、第十四ソース及び第十四ドレインを含み、前記第十五薄膜トランジスタＴ１５は、第十五ゲート、第十五ソース及び第十五ドレインを含み、前記第十六薄膜トランジスタＴ１６は、第十六ゲート、第十六ソース及び第十六ドレインを含み、前記第十七薄膜トランジスタＴ１７は、第十七ゲート、第十七ソース及び第十七ドレインを含み、前記第十八薄膜トランジスタＴ１８は、第十八ゲート、第十八ソース及び第十八ドレインを含む。前記第十四ゲート、第十四ドレイン、第十五ドレイン及び第十六ゲートはいずれも、低周波タイミング信号第一入力端２５に電気接続される。前記第十四ソースはそれぞれ、前記第十五ソース、第十六ドレイン、第六ゲート及び第七ゲートに電気接続される。前記第十五ゲートは前記低周波タイミング信号第二入力端２６に電気接続され、前記第六ソースはそれぞれ前記第十七ドレインと第十八ドレインに電気接続される。前記第十七ゲートはそれぞれ、前記第十一ゲート、前記第一ソース、コンデンサーＣｂ１の一端、第二ゲート、第三ドレイン、第四ドレイン、第六ドレイン及び第二出力端２９に電気接続される。前記第十七ソース、第十八ソースはいずれも、前記低レベル入力端２７に電気接続され、前記第十八ゲートは前記第ｎ＋１段信号入力端２２に電気接続される。
【００５４】
本実施例において、高周波タイミング信号第一入力端２４の入力信号ＣＫＡの高／低電圧値はそれぞれＶＨ１／ＶＬ１であり、第一低周波タイミング信号ＥＣＫと第二低周波タイミング信号ＥＸＣＫの電圧は補い合い関係を有し、これらの高／低電圧値はそれぞれＶＨ２／ＶＬ２である。前記低レベル入力端２７に入力される信号は、低レベル入力信号Ｖｓｓであり、その電圧値はＶＬであり、かつＶＨ１≧ＶＨ２、ＶＬ≧ＶＬ１≧ＶＬ２である。
【００５５】
前記高周波タイミング信号第一入力端２４の入力信号ＣＫＡは、第一高周波タイミング信号ＣＫ１、第二高周波タイミング信号ＣＫ２、第三高周波タイミング信号ＣＫ３及び第四高周波タイミング信号ＣＫ４のうちいずれか１つのタイミング信号である。具体的に、高周波タイミング信号第一入力端２４の入力信号ＣＫＡは第一高周波タイミング信号ＣＫ１であり、第一低周波タイミング信号ＥＣＫの電圧はＶＨ２であり、第二低周波タイミング信号ＥＸＣＫの電圧はＶＬ２であるとき、ゲート駆動ユニットの作動過程は次のとおりである。
【００５６】
図６Ａ及び図６Ｂに示すとおり、タイミングｔ１のとき、ＣＫ１はＶＬ１に変化し、ＶＧ（ｎ−２）の電圧はＶＨ１になる。第一トランジスタＴ１はオン状態になり、信号ＶＧ（ｎ２）はＱ（ｎ）をＶＨ１−ＶＴＨ１に充電する。ＶＴＨ１は第一トランジスタＴ１の閾値電圧である。第二トランジスタＴ２はオン状態になり、ＶＧ（ｎ）の電圧はＶＬ１に降下する。また、第十四、第十六及び第十七トランジスタＴ１４、Ｔ１６及びＴ１７はオン状態になり、Ｐ（ｎ）の電位は低レベルに降下し、第六、第七トランジスタＴ６とＴ７はオフ状態になる。ＥＣＫが高レベル信号であることにより、第九トランジスタＴ９はオン状態になり、Ｋ（ｎ）の電圧は第九トランジスタＴ９によってＶＬ２に降下する。また、ＥＸＣＫが低レベル信号であることにより、第八、第十トランジスタＴ８とＴ１０はオフ状態になる。この場合、Ｑ（ｎ）によって第十一トランジスタＴ１１はオン状態になるが、Ｋ（ｎ）の電圧は、第十一トランジスタＴ１１によって低レベル入力信号Ｖｓｓの電圧ＶＬに降下せず、ＶＬ２を維持する。このとき、第四、第五トランジスタＴ４、Ｔ５はオフ状態になる。
【００５７】
タイミングｔ２のとき、ＶＧ（ｎ−２）の電位は低レベルに降下し、ＣＫ１の電圧はＶＬ１からＶＨ１に上昇し、かつオン状態になった第二トランジスタＴ２により信号出力端に対して充電をする。また、Ｑ（ｎ）が不通状態になるとき、コンデンサーのブートストラップにより、Ｑ（ｎ）の電圧はＶＨ１−ＶＴＨ１より高い電圧に上昇し、第二トランジスタＴ２の充電能力は増加し、ＶＧ（ｎ）の上昇は加速される。
【００５８】
タイミングｔ３のとき、ＣＫ１の電圧はＶＨ１からＶＬ１に降下するが、Ｑ（ｎ）が依然として高レベルになっていることにより、第二トランジスタＴ２は依然としてオン状態になっており、信号出力端はオン状態になった第二トランジスタＴ２によって放電をし、ＶＧ（ｎ）の電圧はＶＬ１に迅速に降下する。コンデンサーのブートストラップにより、Ｑ（ｎ）の電圧はＶＨ１−ＶＴＨ１に降下する。
【００５９】
タイミングｔ４のとき、ＶＧ（ｎ−３）の電位は高レベルに上昇し、第三トランジスタＴ３はオン状態になり、かつＱ（ｎ）の電圧はＶＬに降下する。このとき、第十七トランジスタＴ１７はオフ状態になる。Ｑ（ｎ＋１）が依然として高レベルになっていることにより、第十八トランジスタＴ１８は依然としてオン状態になり、かつＰ（ｎ）の電位を低レベルに降下させ続ける。
【００６０】
ＶＧ（ｎ）の高レベルパルスが出力された後、ゲート駆動ユニットは選択不可能な状態になる。ＶＧ（ｎ）の電圧をＶＬに維持することにより、信号出力端に接続された画像のスイッチング薄膜トランジスタがオン状態になることにより、間違い信号が入力されることを防止することができる。原理上、ＶＧ（ｎ）とＱ（ｎ）の電位を低レベルに維持する必要がある。しかしながら、第二薄膜トランジスタＴ２のソースとドレインとの間に存在する寄生容量により、タイミング信号ＣＫ１が低レベルから高レベルに急変するとき、Ｑ（ｎ）端に結合電圧ΔＶＱ（ｎ）が形成される。ΔＶＱ（ｎ）により、ＣＫ１は信号出力端に対して間違い充電をし、ＶＧ（ｎ）の電位を低レベルに維持することができないおそれがある。したがって、専用ドロップダウンユニットを設けることにより、ＶＧ（ｎ）の電位を低レベルに維持することができる。
【００６１】
（１）薄膜トランジスタＴ６、Ｔ７は順方向バイアスになり、薄膜トランジスタＴ４、Ｔ５は逆方向バイアスになる。
タイミングｔ５のとき、Ｑ（ｎ＋１）は低レベルに降下し、第十八薄膜トランジスタＴ１８はオフ状態になり、ＥＣＫは第十四薄膜トランジスタＴ１４によってＰ（ｎ）を充電する。Ｐ（ｎ）端の電圧が上昇することにより、第六、第七薄膜トランジスタＴ６及びＴ７はオン状態になり、Ｑ（ｎ）とＶＧ（ｎ）電圧はＶＬに維持される。第六、第七薄膜トランジスタＴ６及びＴ７は順方向バイアス（ＶＧＳ＞０）になり、順方向バイアス電圧はＶ＋≒ＶＨ２−ＶＴＨ４である。第四薄膜トランジスタＴ４と第五薄膜トランジスタＴ５に相対して、第九薄膜トランジスタＴ９はオン状態になり、Ｋ（ｎ）端の電圧はＶＬ２に維持される。ＶＬ＞ＶＬ２であるとき、第四薄膜トランジスタＴ４と第五薄膜トランジスタＴ５が逆方向バイアス（Ｖｇｓ＜０）になり、逆方向バイアス電圧値はＶ−＝ＶＬ−ＶＬ２である。Ｖ＋とＶ−は図５Ｂに示すとおりである。注意されたいことは、Ｋ（ｎ）端の電圧ＶＬ２がＶＳＳの電圧ＶＬより小さいとき、第十薄膜トランジスタＴ１０はオフ状態になり、ＶＳＳが第十一、第十二薄膜トランジスタＴ１１及びＴ１２によってＫ（ｎ）への逆方向充電電流になることを防止することができる。したがって、Ｋ（ｎ）端の電圧をＶＬ２に維持することにより、第四薄膜トランジスタＴ４と第五薄膜トランジスタＴ５が逆方向バイアスになるようにすることができる。
【００６２】
（２）薄膜トランジスタＴ６、Ｔ７は逆方向バイアスになり、薄膜トランジスタＴ４、Ｔ５は順方向バイアスになる。
低周波タイミング信号ＥＸＣＫの電圧がＶＨ２であるとき、ＥＣＫの電圧値はＶＬ２である。タイミングｔ５の以降、Ｋ（ｎ）が高レベルになることにより、第四、第五薄膜トランジスタＴ４とＴ５は逆方向バイアスになり、Ｑ（ｎ）とＶＧ（ｎ）電圧はＶＬに維持される。第十五薄膜トランジスタＴ１５がオン状態になるとともに第十六薄膜トランジスタＴ１６がオフ状態になることにより、ＶＳＳが第十七、第十八薄膜トランジスタＴ１７及びＴ１８によってＰ（ｎ）への逆方向充電電流になることを防止することができる。したがって、第十五薄膜トランジスタＴ１５はＰ（ｎ）をＶＬ２に降下させることにより、第六、第七薄膜トランジスタＴ６及びＴ７が逆方向バイアスになるようにすることができる。
【００６３】
本実施例において、集積ゲート駆動回路は一対のドロップダウン構造を採用する。ＥＣＫが高レベルであるとき、第一ドロップダウンユニット４５は逆方向バイアスになり、第二ドロップダウンユニット４７はＶＧ（ｎ）とＱ（ｎ）の電圧を降下させることに用いられる。ＥＸＣＫが高レベルであるとき、第一ドロップダウンユニット４５はＶＧ（ｎ）とＱ（ｎ）の電圧を降下させることに用いられ、第二ドロップダウンユニット４７は逆方向バイアスになる。したがって、作動の全過程において、低周波タイミング信号ＥＣＫとＥＸＣＫが高低レベルの間で変化することにより、各ドロップダウンユニットの薄膜トランジスタはいずれも正負二極性電圧バイアスになることができる。各ドロップダウンユニットの薄膜トランジスタの電気応力テストをした結果の（図７と図８にしめす）とおり、ドロップダウン薄膜トランジスタの閾値電圧の変化を有効に抑制し、集積ゲート駆動回路の使用寿命を延長させることができる。図７は、直流電圧（２５Ｖ）、単極性パルス電圧（２５Ｖ〜０Ｖ）、二極性パルス電圧（２５Ｖ〜−１０Ｖ）の三種の応力下における、ドロップダウンユニットの薄膜トランジスタの閾値電圧の変化を示す曲線である。図８は、直流電圧（２５Ｖ）、単極性パルス電圧（２５Ｖ〜０Ｖ）、二極性パルス電圧（２５Ｖ〜−１０Ｖ）の三種の応力下における、ドロップダウンユニットの薄膜トランジスタのオン電流退化率を示す曲線である。テストの結果に示されるとおり、従来の直流電圧、単極性パルス電圧と比較してみると、二極性パルス電圧下のドロップダウンユニットの薄膜トランジスタの閾値電圧の変化が有効に抑制され、オン電流退化率が低下したことを分かることができる。
【００６４】
図９は本発明のゲート駆動ユニットの第二実施例を示す図であり、図９と図１〜図６とを一緒に参照することができる。本実施例と第一実施例は類似しており、相違点は次のとおりである。本実施例において、前記第一ドロップダウン信号生成ユニット４６中の第九薄膜トランジスタＴ９の第九ゲートはそれぞれ、前記第八ソース、前記第九ソース、第十ドレイン、第四ゲート及び第五ゲートに電気接続される。前記第二ドロップダウン信号生成ユニット４８中の第十五薄膜トランジスタＴ１５の第十五ゲートはそれぞれ、前記第十四ソース、前記第十五ソース、第十六ドレイン、第六ゲート及び第七ゲートに電気接続される。このとき、第九薄膜トランジスタＴ９と第十五薄膜トランジスタＴ１５は、依然として、Ｋ（ｎ）とＰ（ｎ）の電圧を降下させることに用いられる。また、上述した接続構造により、低周波タイミング入力端ＥＣＫ／ＥＸＣＫの負荷を低減し、回路の電気消耗を低減することができる。
【００６５】
本実施例の回路が作動することは、第一実施例のゲート駆動ユニットの作動と類似しているので、ここでは再び説明しない。
【００６６】
図１０は本発明のゲート駆動ユニットの第三実施例を示す図であり、図１０と図１〜図６とを一緒に参照することができる。本実施例と第一実施例は類似しており、相違点は次のとおりである。本実施例の第一ドロップダウン信号生成ユニット４６は第十三薄膜トランジスタＴ１３を更に含み、該第十三薄膜トランジスタＴ１３は、第十三ゲート、第十三ソース及び第十三ドレインを含む。前記第十三ゲートはそれぞれ、第一ゲート、第一ドレイン及び前記第ｎ−２段信号入力端２１に電気接続され、前記第十三ドレインはそれぞれ、前記第十ソース、前記第十一ドレイン及び第十二ドレインに電気接続される。前記第十三ソースは低レベル入力端２７に電気接続される。前記第二ドロップダウン信号生成ユニット４８は第十九薄膜トランジスタＴ１９を更に含み、該第十九薄膜トランジスタＴ１９は、第十九ゲート、第十九ソース及び第十九ドレインを含む。前記第十九ゲートはそれぞれ、前記第十三ゲート、第一ゲート、第一ドレイン及び前記第ｎ−２段信号入力端２１に電気接続され、前記第十九ドレインはそれぞれ、前記第十六ソース、前記第十七ドレイン及び第十八ドレインに電気接続される。前記第十九ソースは低レベル入力端２７に電気接続される。上述した接続構造により、ｔ１〜ｔ２のとき、Ｋ（ｎ）またはＰ（ｎ）端の電圧を降下させる効果を増加させ、回路が低温下で作動するようにすることができる。この原因は次のとおりである。
【００６７】
低温の環境において、回路中の薄膜トランジスタの閾値電圧が増加し、移動率が低下することにより、トランジスタの導電能力が低下する。ＥＣＫが高レベルであり、ＥＸＣＫが低レベルである場合について、図５、図６Ａ及び図１０を参照することができる。回路が作動するタイミングｔ１〜ｔ２において、ＶＧ（ｎ−２）が高レベルに上昇し、薄膜トランジスタＴ１でＱ（ｎ）に対して充電をする。Ｑ（ｎ）の電圧が上昇することによって薄膜トランジスタＴ１７はオン状態になり、Ｐ（ｎ）端の電圧が降下することによって薄膜トランジスタＴ６はオフ状態になり、Ｑ（ｎ）端の充電電荷は薄膜トランジスタＴ６によって漏電せず、逆にＱ（ｎ）の充電を促進する。これはフィードバックの過程である。しかしながら、低温の環境において、薄膜トランジスタＴ１の導電能力が低下することにより、Ｑ（ｎ）の充電速度は低下する。Ｐ（ｎ）端の電圧を降下させる薄膜トランジスタＴ１７の能力が低下することにより、薄膜トランジスタＴ６は容易にオフ状態になることができず、薄膜トランジスタＴ６の漏電によってＱ（ｎ）への充電が無駄になり、回路が失効状態になるおそれがある。本実施例において、ＶＧ（ｎ−２）が薄膜トランジスタＴ１９によってＰ（ｎ）端の電圧を直接降下させることができるので、薄膜トランジスタＴ６の漏電を有効に抑制することができる。ＥＸＣＫが高レベルであり、ＥＣＫが低レベルである場合、追加された薄膜トランジスタＴ１３によって薄膜トランジスタＴ４の漏電を有効に抑制することができる。したがって、本実施例のゲート駆動ユニットを低温環境に適用することができる。
【００６８】
本実施例の回路が作動することは、第一実施例のゲート駆動ユニットの作動と類似しているので、ここでは再び説明しない。
【００６９】
図１１は本発明のゲート駆動ユニットの第四実施例を示す図であり、図１１と図１〜図５とを一緒に参照することができる。本実施例と第一実施例を比較してみると、前記第ｎ段ゲート駆動ユニットは第ｎ−１段信号入力端３２と第三出力端３３を更に含む。前記第ｎ段ゲート駆動ユニットが第二段〜後ろから第一段ゲート駆動ユニットのうちいずれか１つのゲート駆動ユニットであるとき、前記第ｎ段ゲート駆動ユニットの第ｎ−１段信号入力端３２は第ｎ−１段ゲート駆動ユニットの第三出力端３３に電気接続される。前記第ｎ段ゲート駆動ユニットが第一段ゲート駆動ユニットであるとき、前記第ｎ段ゲート駆動ユニットは第ｎ−１段信号入力端３２を含んでいない。前記第ｎ段ゲート駆動ユニットが第一段〜後ろから第二段ゲート駆動ユニットのうちいずれか１つのゲート駆動ユニットであるとき、前記第ｎ段ゲート駆動ユニットの第三出力端３３は前記第ｎ＋１段ゲート駆動ユニットの第ｎ−１段信号入力端３２に電気接続される。前記第ｎ段ゲート駆動ユニットが後ろから第一段ゲート駆動ユニットであるとき、前記第ｎ段ゲート駆動ユニットの第三出力端３３は不通状態になる。
【００７０】
前記ドロップダウンユニット４４'は、第一ドロップダウンユニット４５'、第二ドロップダウンユニット４７'及び第二ドロップダウン信号生成ユニット４８'を含む。前記第一ドロップダウンユニット４５'はそれぞれ、駆動ユニット４２、第ｎ−１段信号入力端３２と低レベル入力端２７に電気接続される。前記第二ドロップダウンユニット４７'はそれぞれ、駆動ユニット４２、第二ドロップダウン信号生成ユニット４８'、第一ドロップダウンユニット４５'及び低レベル入力端２７に電気接続される。前記第二ドロップダウン信号生成ユニット４８'はそれぞれ、駆動ユニット４２、第二ドロップダウンユニット４７'、低周波タイミング信号第一入力端２５、低周波タイミング信号第二入力端２６及び低レベル入力端２７に電気接続される。
【００７１】
前記第一ドロップダウンユニット４５'は第四薄膜トランジスタＴ４と第五薄膜トランジスタＴ５を含む。前記第四薄膜トランジスタＴ４は、第四ゲート、第四ソース及び第四ドレインを含み、前記第五薄膜トランジスタＴ５は、第五ゲート、第五ソース及び第五ドレインを含む。前記第四ゲートと第五ゲートはいずれも前記第ｎ−１段信号入力端３２に電気接続され、前記第四ドレインはそれぞれ、第一ソース、コンデンサーＣｂ１の一端、第二ゲート、第三ドレイン、第二出力端２９、第二ドロップダウン信号生成ユニット４８'及び第二ドロップダウンユニット４７'に電気接続される。前記第四ソースと第五ソースはいずれも低レベル入力端２７に電気接続される。前記第五ドレインはそれぞれ、第二ソース、コンデンサーＣｂ１の他端、第一出力端２８及び第二ドロップダウンユニット４７'に電気接続される。
【００７２】
前記第二ドロップダウンユニット４７'は第六薄膜トランジスタＴ６と第七薄膜トランジスタＴ７を含む。前記第六薄膜トランジスタＴ６は、第六ゲート、第六ソース及び第六ドレインを含み、前記第七薄膜トランジスタＴ７は、第七ゲート、第七ソース及び第七ドレインを含む。前記第六ゲートは、前記第二ドロップダウン信号生成ユニット４８、第七ゲート及び第三出力端３３に電気接続される。前記第六ドレインはそれぞれ、第一ソース、コンデンサーＣｂ１の一端、第二ゲート、第三ドレイン、第四ドレイン、第二出力端２９及び第二ドロップダウン信号生成ユニット４８'に電気接続される。前記第六ソースと第七ソースはいずれも低レベル入力端２７に電気接続される。前記第七ドレインはそれぞれ、第二ソース、コンデンサーＣｂ１の他端、第一出力端２８及び第五ドレインに電気接続される。
【００７３】
前記第二ドロップダウン信号生成ユニット４８'は、第十四薄膜トランジスタＴ１４、第十五薄膜トランジスタＴ１５、第十六薄膜トランジスタＴ１６、第十七薄膜トランジスタＴ１７及び第十八薄膜トランジスタＴ１８を含む。前記第十四薄膜トランジスタＴ１４は、第十四ゲート、第十四ソース及び第十四ドレインを含み、前記第十五薄膜トランジスタＴ１５は、第十五ゲート、第十五ソース及び第十五ドレインを含み、前記第十六薄膜トランジスタＴ１６は、第十六ゲート、第十六ソース及び第十六ドレインを含み、前記第十七薄膜トランジスタＴ１７は、第十七ゲート、第十七ソース及び第十七ドレインを含み、前記第十八薄膜トランジスタＴ１８は、第十八ゲート、第十八ソース及び第十八ドレインを含む。前記十四ゲート、第十四ドレイン、第十五ドレイン及び第十六ゲートはいずれも、低周波タイミング信号第一入力端２５に電気接続される。前記第十四ソースはそれぞれ、前記第十五ソース、第十六ドレイン、第六ゲート、第七ゲート及び第三出力端３３に電気接続される。前記第十五ゲートは前記低周波タイミング信号第二入力端２６に電気接続される。前記第十六ソースはそれぞれ、前記第十七ドレインと第十八ドレインに電気接続される。前記第十七ゲートはそれぞれ、前記第一ソース、コンデンサーの一端、第二ゲート、第三ドレイン、第四ドレイン及び第六ドレインに電気接続される。前記第十七ソースと第十八ソースは低レベル入力端２７に電気接続される。前記第十八ゲートは前記第ｎ＋１段信号入力端２２に電気接続される。
【００７４】
本実施例のゲート駆動ユニットは、一対のドロップダウン共用構造を採用する。すなわち、隣接する２つのゲート駆動ユニットは１つのドロップダウン信号生成ユニットを共用する。１つのゲート駆動ユニットにドロップダウン信号生成ユニットを設けないことにより、１つのゲート駆動ユニットのトランジスタの個数を減少させ、回路の構造を簡素化することができる。
【００７５】
図１２Ａに示すとおり、ＥＣＫが高レベルであるとき、タイミングｔ４の以降、Ｐ（ｎ−１）端の電圧は高レベルになり、第ｎ段ゲート駆動ユニットのトランジスタＴ４、Ｔ５はオン状態になり、Ｑ（ｎ）とＶＧ（ｎ）電圧はＶＬに維持される。図１２Ｂに示すとおり、ＥＸＣＫが高レベルであるとき、タイミングｔ４の以降、Ｐ（ｎ−１）端の電圧は高レベルになり、第ｎ段ゲート駆動ユニットのトランジスタＴ６、Ｔ７はオン状態になり、Ｑ（ｎ−１）、ＶＧ（ｎ−１）Ｑ（ｎ）及びＶＧ（ｎ）電圧はＶＬに維持される。第ｎ段ゲート駆動ユニットの全作動過程において、トランジスタＴ６／Ｔ７は正負二極性電圧バイアスになり、この閾値電圧の変化を有効に抑制することができる。
【００７６】
図１３は本発明のゲート駆動ユニットの第五実施例を示す図であり、図１３と図１〜図５及び図１１〜図１２Ｂとを一緒に参照することができる。本実施例と第四実施例は類似しており、相違点は次のとおりである。本実施例において、前記第二ドロップダウン信号生成ユニット４８'の第十五薄膜トランジスタＴ１５の前記第十五ゲートはそれぞれ、前記第十四ソース、前記第十五ソース、第十六ドレイン、第六ゲート、第七ゲート及び第三出力端３３に電気接続される。上述した接続は、タイミング入力端ＥＣＫ／ＥＸＣＫの負荷を低減し、回路の電気消耗を低減することができる。
【００７７】
本実施例の回路が作動することは、第四実施例のゲート駆動ユニットの作動と類似しているので、ここでは再び説明しない。
【００７８】
図１４は本発明のゲート駆動ユニットの第六実施例を示す図であり、図１４と図１〜図５及び図１１〜図１２Ｂとを一緒に参照することができる。本実施例と第四実施例は類似しており、相違点は次のとおりである。本実施例の前記第二ドロップダウン信号生成ユニット４８'は第十九薄膜トランジスタＴ１９を更に含み、第十九薄膜トランジスタＴ１９は第十九ゲート、第十九ソース及び第十九ドレインを含む。前記第十九ゲートはそれぞれ、前記第一ゲート、第一ドレイン及び前記第ｎ−２段信号入力端２１に電気接続される。前記第十九ドレインはそれぞれ、前記第十六ソース、前記第十七ソース及び第十八ドレインに電気接続される。前記第十九ドレインは低レベル入力端２７に電気接続される。上述した接続構造により、ｔ１〜ｔ２のとき、Ｐ（ｎ）端の電圧を降下させる効果を増加させ、回路が低温下で作動するようにすることができる。この原因は次のとおりである。
【００７９】
低温の環境において、回路中の薄膜トランジスタの閾値電圧が増加し、移動率が低下することにより、トランジスタの導電能力が低下する。ＥＣＫが高レベルであり、ＥＸＣＫが低レベルである場合について、図１１、図１２Ａ、図１２Ｂ及び図１４を参照することができる。回路が作動するタイミングｔ１〜ｔ２において、ＶＧ（ｎ−２）が高レベルに上昇し、薄膜トランジスタＴ１でＱ（ｎ）に対して充電をする。Ｑ（ｎ）の電圧が上昇することによって薄膜トランジスタＴ１７はオン状態になり、Ｐ（ｎ）端の電圧が降下することによって薄膜トランジスタＴ６はオフ状態になる。Ｑ（ｎ）端の充電電荷は薄膜トランジスタＴ６によって漏電せず、逆にＱ（ｎ）の充電を促進する。これはフィードバックの過程である。しかしながら、低温の環境において、薄膜トランジスタＴ１の導電能力が低下することにより、Ｑ（ｎ）の充電速度は低下する。Ｐ（ｎ）端の電圧を降下させる薄膜トランジスタＴ１７の能力が低下することにより、薄膜トランジスタＴ６は容易にオフ状態になることができず、薄膜トランジスタＴ６の漏電によってＱ（ｎ）への充電が無駄になり、回路が失効状態になるおそれがある。本実施例において、ＶＧ（ｎ−２）が薄膜トランジスタＴ１９によりＰ（ｎ）端の電圧を直接降下させることができるので、薄膜トランジスタＴ６の漏電を有効に抑制することができる。したがって、本実施例のゲート駆動ユニットを低温環境に適用することができる。
【００８０】
本実施例の回路が作動することは、第四実施例のゲート駆動ユニットの作動と類似しているので、ここでは再び説明しない。
【００８１】
図１５乃至図１６は本発明の付加ゲート駆動ユニットの第一実施例を示す図であり、これらと図４及び図１〜図２Ｂとを一緒に参照することができる。前記付加駆動ユニット５２は、付加コンデンサーＣｂ２、第二十一薄膜トランジスタＴ２１、第二十二薄膜トランジスタＴ２２及び第二十三薄膜トランジスタＴ２３を含む。前記第二十一薄膜トランジスタＴ２１は、第二十一ゲート、第二十一ソース及び第二十一ドレインを含み、前記第二十二薄膜トランジスタＴ２２は、第二十二ゲート、第二十二ソース及び第二十二ドレインを含み、前記第二十三薄膜トランジスタＴ２３は、第二十三ゲート、第二十三ソース及び第二十三ドレインを含む。前記第二十一ゲート、第二十一ドレイン及び第二十二ドレインはいずれも、前記第ｍ−１段付加信号入力端３５に電気接続される。前記第二十一ソースはそれぞれ、付加コンデンサーＣｂ２の一端、第二十三ゲート、第二十二ソース、第二付加出力端３９及び付加ドロップダウンユニット５４に電気接続される。前記第二十二ゲートは高周波タイミング信号第二入力端３４に電気接続され、前記第二十三ドレインは高周波タイミング信号第一入力端２４に電気接続される。前記第二十三ソースは、付加コンデンサーＣｂ２の他端、第一付加出力端３８及び付加ドロップダウンユニット５４に電気接続される。
【００８２】
前記付加ドロップダウンユニット５４は、第一付加ドロップダウンユニット５５、第一付加ドロップダウン信号生成ユニット５６、第二付加ドロップダウンユニット５７及び第二付加ドロップダウン信号生成ユニット５８を含む。前記第一付加ドロップダウンユニット５５はそれぞれ、付加駆動ユニット５２、第一付加ドロップダウン信号生成ユニット５６、第二付加ドロップダウンユニット５７及び低レベル入力端２７に電気接続される。第一付加ドロップダウン信号生成ユニット５６はそれぞれ、第一付加ドロップダウンユニット５５、低周波タイミング信号第一入力端２５、低周波タイミング信号第二入力端２６及び低レベル入力端２７に電気接続される。前記第二付加ドロップダウンユニット５７はそれぞれ、付加駆動ユニット５２、第二付加ドロップダウン信号生成ユニット５８、第一付加ドロップダウンユニット５５及び低レベル入力端２７に電気接続される。前記第二付加ドロップダウン信号生成ユニット５８はそれぞれ、第二付加ドロップダウンユニット５７、低周波タイミング信号第一入力端２５、低周波タイミング信号第二入力端２６及び低レベル入力端２７に電気接続される。
【００８３】
前記第一付加ドロップダウンユニット５５は第二十四薄膜トランジスタＴ２４と第二十五薄膜トランジスタＴ２５を含む。前記第二十四薄膜トランジスタＴ２４は、第二十四ゲート、第二十四ソース及び第二十四ドレインを含み、前記第二十五薄膜トランジスタＴ２５は、第二十五ゲート、第二十五ソース及び第二十五ドレインを含む。前記第二十四ゲートは前記第一付加ドロップダウン信号生成ユニット５６及び第二十五ゲートに電気接続される。前記第二十四ドレインはそれぞれ、第二十一ソース、第二十二ソース、付加コンデンサーＣｂ２の一端、第二十三ゲート、第二付加出力端３９、第二付加ドロップダウン信号生成ユニット５８及び第二付加ドロップダウンユニット５７に電気接続される。前記第二十四ソースは低レベル入力端２７に電気接続される。前記第二十五ドレインは、付加コンデンサーＣｂ２の他端、第一付加出力端３８及び第二付加ドロップダウンユニット５７に電気接続される。前記第二十五ソースは低レベル入力端２７に電気接続される。
【００８４】
前記第二付加ドロップダウンユニット５７は第二十六薄膜トランジスタＴ２６と第二十七薄膜トランジスタＴ２７を含む。前記第二十六薄膜トランジスタＴ２６は、第二十六ゲート、第二十六ソース及び第二十六ドレインを含み、前記第二十七薄膜トランジスタＴ２７は、第二十七ゲート、第二十七ソース及び第二十七ドレインを含む。前記第二十六ゲートは前記第二付加ドロップダウン信号生成ユニット５８と第二十七ゲートに電気接続され、前記第二十六ソースは低レベル入力端２７に電気接続される。前記第二十六ドレインはそれぞれ、第二十四ソース、第二十一ソース、第二十二ソース、付加コンデンサーＣｂ２の一端、第二十三ゲート、第二付加出力端３９及び第二付加ドロップダウン信号生成ユニット５８に電気接続される。前記第二十七ドレインはそれぞれ、付加コンデンサーＣｂ２の他端、第一付加出力端３８、第二十五ドレイン及び第二十三ソースに電気接続される。前記第二十七ソースは低レベル入力端２７に電気接続される。
【００８５】
前記第一付加ドロップダウン信号生成ユニット５６は、第二十八薄膜トランジスタＴ２８、第二十九薄膜トランジスタＴ２９、第三十薄膜トランジスタＴ３０及び第三十一薄膜トランジスタＴ３１を含む。前記第二十八薄膜トランジスタＴ２８は、第二十八ゲート、第二十八ソース及び第二十八ドレインを含み、前記第二十九薄膜トランジスタＴ２９は、第二十九ゲート、第二十九ソース及び第二十九ドレインを含み、前記第三十薄膜トランジスタＴ３０は、第三十ゲート、第三十ソース及び第三十ドレインを含み、前記第三十一薄膜トランジスタＴ３１は、第三十一ゲート、第三十一ソース及び第三十一ドレインを含む。前記第二十八ゲート、第二十八ドレイン、第二十九ドレイン及び第三十ゲートはいずれも、前記低周波タイミング信号第二入力端２６に電気接続される。前記第二十八ソースはそれぞれ、前記第二十九ソース、第三十ドレイン、第二十四ゲート及び第二十五ゲートに電気接続される。前記第二十九ゲートは前記低周波タイミング信号第一入力端２５に電気接続され、前記第三十ソースは前記第三十一ドレインに電気接続される。前記第三十一ゲートはそれぞれ、第二十一ソース、第二十二ソース、付加コンデンサーＣｂ２の一端、第二十三ゲート、第二付加出力端３９、第二十六ドレイン及び第二十四ドレインに電気接続される。前記第三十一ソースは低レベル入力端２７に電気接続される。
【００８６】
前記第二付加ドロップダウン信号生成ユニット５８は、第三十二薄膜トランジスタＴ３２、第三十三薄膜トランジスタＴ３３、第三十四薄膜トランジスタＴ３４及び第三十五薄膜トランジスタＴ３５を含む。前記第三十二薄膜トランジスタＴ３２は、第三十二ゲート、第三十二ソース及び第三十二ドレインを含み、前記第三十三薄膜トランジスタＴ３３は、第三十三ゲート、第三十三ソース及び第三十三ドレインを含み、前記第三十四薄膜トランジスタＴ３４は、第三十四ゲート、第三十四ソース及び第三十四ドレインを含み、前記第三十五薄膜トランジスタＴ３５は、第三十五ゲート、第三十五ソース及び第三十五ドレインを含む。前記第三十二ゲート、第三十二ドレイン、第三十三ソースドレイン及び第三十四ゲートはいずれも、前記低周波タイミング信号第一入力端２５に電気接続される。前記第三十二ソースはそれぞれ、前記第三十三ソース、第三十四ドレイン、第二十六ゲート及び第二十七ゲートに電気接続される。前記第三十三ゲートは前記低周波タイミング信号第二入力端２６に電気接続される。前記第三十四ソースは前記第三十五ドレインに電気接続される。前記三十五ゲートはそれぞれ、第三十一ゲート、第二十一ソース、第二十二ソース、付加コンデンサーＣＢ２の一端、第二十三ゲート、第二付加出力端３９、第二十六ドレイン及び第二十四ドレインに電気接続される。前記三十五ソースは低レベル入力端２７に電気接続される。
【００８７】
図１６に示すとおり、本実施例の回路の作動過程は第一実施例のゲート駆動ユニットの作動と類似している。相違点は次のとおりである。タイミングｔ１のとき、トランジスタＴ２１、Ｔ２２が同時オン状態になることにより、ＱＤＭ（Ｎ）に対して充電をする。タイミングｔ４のとき、第一実施例のゲート駆動ユニットのトランジスタＴ３の代わりにトランジスタＴ２２を用いることにより、ＱＤＭ（Ｎ）に対して放電をする。タイミングｔ４の以降、タイミング信号第二入力端に入力される信号でトランジスタＴ２２を制御し、ＱＤＭ（Ｎ）端の電圧をＶＬに降下させることにより、回路のタイミングフィードスルー効果を有効に抑制することができる。本実施例において、他の信号ＶＧ（Ｎ＋３）を提供する必要がなく、他の信号Ｑ（Ｎ＋１）を提供する必要がない。したがって、多段電極接続型における、本実施例のゲート駆動ユニットは後ろのユニットにフィードバック信号を提供する必要がない利点を有している。
【００８８】
図１７は本発明の付加ゲート駆動ユニットの第二実施例を示す図であり、図１７と図１５〜図１６及び図１〜図４とを一緒に参照することができる。本実施例と第一実施例は類似しており、相違点は次のとおりである。本実施例において、前記第一付加ドロップダウンユニット５５の第二十四薄膜トランジスタの第二十四ソースはそれぞれ、前記第二十五ドレイン、付加コンデンサーＣｂ２の他端、第一付加出力端３８及び第二付加ドロップダウンユニット５７に電気接続される。前記第一付加ドロップダウン信号生成ユニット５６の第二十六薄膜トランジスタの第二十六ソースはそれぞれ、前記第二十七ドレイン、付加コンデンサーＣｂ２の他端、第一付加出力端３８、第二十五ドレイン及び第二十三ソースに電気接続される。上述した接続構造により、高温であるｔ２〜ｔ３のとき、第二十四薄膜トランジスタと第二十六薄膜トランジスタの漏電を抑制し、回路が高温下で作動するようにすることができる。この原因は次のとおりである。
【００８９】
高温の環境において、回路中の薄膜トランジスタの閾値電圧が低下し、移動率が増加することにより、トランジスタの導電能力が増加する。ＥＣＫが高レベルであり、ＥＸＣＫが低レベルである場合について、図１５、図１６及び図１７を参照することができる。回路が作動するタイミングｔ２〜ｔ３において、ＣＫ１は薄膜トランジスタＴ２３を通過してＶＤＭ（Ｎ）に対して充電し、ＶＤＭ（Ｎ）は高レベルに上昇する。コンデンサーのブートストラップにより、ＱＤＭ（Ｎ）の電圧を上昇させ、ＶＤＭ（Ｎ）の上昇を加速する。これはフィードバックの過程である。しかしながら、高温下の薄膜トランジスタＴ２６の導電能力が増加することにより、ＱＤＭ（Ｎ）は薄膜トランジスタＴ２６によって漏電する。したがって、前記過程が破壊され、回路が失効状態になる。本実施例において、第二十六ソースがＶＤＭ（Ｎ）に電気接続されることにより、回路が作動するタイミングｔ２〜ｔ３のとき、薄膜トランジスタＴ２６のゲート・ソースは負圧になり、薄膜トランジスタＴ２６の漏電を有効に抑制することができる。ＥＸＣＫが高レベルであり、ＥＣＫが低レベルである場合も、薄膜トランジスタＴ２４の漏電を有効に抑制することができる。したがって、本実施例のゲート駆動ユニットを高温環境に適用することができる。
【００９０】
本実施例の回路が作動することは、第一実施例の付加ゲート駆動ユニットの作動と類似しているので、ここでは再び説明しない。
【００９１】
図１８は本発明の付加ゲート駆動ユニットの第三実施例を示す図であり、図１８と図１５〜図１６及び図１〜図４とを一緒に参照することができる。本実施例と第一実施例は類似しており、相違点は次のとおりである。本実施例において、前記第一付加ドロップダウン信号生成ユニット５６の第二十九ゲートはそれぞれ、前記第二十八ソース、前記第二十九ソース、第三十ドレイン、第二十四ゲート、第二十五ゲートに電気接続される。前記第二付加ドロップダウン信号生成ユニット５８の第三十三ゲートはそれぞれ、前記第三十二ソース、前記第三十三ソース、第三十四ドレイン、第二十六ゲート、第二十七ゲートに電気接続される。上述した接続構造により、低周波タイミング入力端ＥＣＫ／ＥＸＣＫの負荷を低減し、回路の電気消耗を低減することができる。
【００９２】
本実施例の回路が作動することは、第一実施例の付加ゲート駆動ユニットの作動と類似しているので、ここでは再び説明しない。
【００９３】
図１９は本発明の付加ゲート駆動ユニットの第四実施例を示す図であり、図１９、図１５〜図１６、図１８及び図１〜図４を一緒に参照することができる。本実施例と第三実施例は類似しており、相違点は次のとおりである。本実施例において、前記第一付加ドロップダウンユニット５５の第二十四薄膜トランジスタの第二十四ソースはそれぞれ、前記第二十五ドレイン、付加コンデンサーＣｂ２の他端、第一付加出力端３８及び第二付加ドロップダウンユニット５７に電気接続される。前記第二付加ドロップダウンユニット５７の第二十六薄膜トランジスタの第二十六ソースはそれぞれ、前記第二十七ドレイン、付加コンデンサーＣｂ２の他端、第一付加出力端３８、第二十五ドレイン及び第二十三ソースに電気接続される。上述した接続構造により、高温下のブートストラップ階段の第二十四薄膜トランジスタと第二十六薄膜トランジスタの漏電を抑制し、回路が高温下で作動するようにすることができる。
【００９４】
本実施例の回路が作動することは、第一実施例の付加ゲート駆動ユニットの作動と類似しているので、ここでは再び説明しない。
【００９５】
図１８と図１〜図１９を一緒に参照すると、本発明の集積ゲート駆動回路を具備する表示パネルが示されている。前記表示パネルは、液晶表示パネルであるか或いはＯＬＥＤ表示パネルであり、データ駆動回路１１と表示パネル本体１２を含む。前記表示パネル本体１２は前記集積ゲート駆動回路と表示パネル画素区域１６を含む。前記表示パネル画素区域１６は排列されている複数個の画素ユニット１８を含む。
【００９６】
上述したとおり、本発明の集積ゲート駆動回路と集積ゲート駆動回路を具備する表示パネルにおいて、回路が一対のドロップダウン構造を採用することにより、回路のドロップダウンユニットと付加ドロップダウンユニット中の薄膜トランジスタは二極性電圧バイアスの作動環境で作動することができ、ドロップダウンユニットと付加ドロップダウンユニット中の薄膜トランジスタの閾値電圧の変化を有効に抑制し、回路の作動寿命を延長することができる。これにより、回路は大中サイズ表示パネルの要求を満たすことができる。また、回路の構造が簡単であり、電気消耗が少なく、低温及び高温の作動環境に適用することができる利点を有している。
【００９７】
以上、本発明の好適な実施例について詳述してきたが、本発明が前記実施例の構成にのみ限定されるものでない。本技術分野の技術者によって、本発明の要旨を逸脱しない範囲の設計の変更等があっても本発明に含まれることは勿論である。
【図１】
0006291585.tif 000002
【図２Ａ】
0006291585.tif 000003
【図２Ｂ】
0006291585.tif 000004
【図３】
0006291585.tif 000005
【図４】
0006291585.tif 000006
【図５】
0006291585.tif 000007
【図６Ａ】
0006291585.tif 000008
【図６Ｂ】
0006291585.tif 000009
【図７】
0006291585.tif 000010
【図８】
0006291585.tif 000011
【図９】
0006291585.tif 000012
【図１０】
0006291585.tif 000013
【図１１】
0006291585.tif 000014
【図１２Ａ】
0006291585.tif 000015
【図１２Ｂ】
0006291585.tif 000016
【図１３】
0006291585.tif 000017
【図１４】
0006291585.tif 000018
【図１５】
0006291585.tif 000019
【図１６】
0006291585.tif 000020
【図１７】
0006291585.tif 000021
【図１８】
0006291585.tif 000022
【図１９】
0006291585.tif 000023
【図２０】
0006291585.tif 000024